(57)【特許請求の範囲】
【請求項１】
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶し、
前記表示画像生成手段は、
前記画像記憶手段から水平ライン方向に読み出した１水平ライン分の色成分データを記憶する色成分記憶手段と、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出す画像データ読出手段と、
前記画像記憶手段から読み出された色成分データを前記色成分記憶手段に書き込む色成分書込手段と、
を更に備え、
前記表示画像生成手段は、前記画像データ読出手段により前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示することを特徴とする画像表示装置。
【請求項２】
前記表示画像生成手段は、前記画像データ読出手段により前記画像記憶手段に記憶された輝度成分データを水平ライン方向に順次読み出す際に、一定数の水平ライン置きに輝度成分データを複数回読み出すとともに、当該一定数の水平ライン置きに色成分データを前記画像記憶手段あるいは前記色成分記憶手段から複数回読み出して、この水平ライン毎に順次読み出された輝度成分データと色成分データ、及び一定数の水平ライン置きに複数回読み出された輝度成分データと色成分データに基づいてカラー表示信号を生成して表示手段にカラー画像を表示することを特徴とする請求項１記載の画像表示装置。
【請求項３】
前記画像記憶制御手段は、前記入力カラー画像データの垂直方向の１画素置きに２種類の色成分が１組の共通色成分となるように色成分データを水平ライン毎に前記画像記憶手段に一画面分記憶し、
前記表示画像記憶手段は、前記色成分書込手段により、前記入力カラー画像データの水平ラインを奇数又は偶数ライン毎に区分した１フィールド分の前記入力カラー画像データに含まれる１水平ライン分の色成分データを前記色成分記憶手段に記憶し、前記画像データ読出手段により前記画像記憶手段に記憶された輝度成分データをインターレース動作で１水平ライン置きに読み出すとともに、前記画像記憶手段あるいは前記色成分記憶手段からインターレース動作で前記１水平ライン置きに色成分データを読み出して、このインターレース動作で順次読み出された輝度成分データ、及び色成分データに基づいてカラー表示信号を生成して表示手段にフィールド毎にカラー画像を表示することを特徴とする請求項１又は２記載の画像表示装置。
【請求項４】
前記画像記憶制御手段は、前記入力カラー画像データの垂直方向の１画素置きに２種類の色成分が１組の共通色成分となるように色成分データを水平ライン毎に前記画像記憶手段に一画面分記憶し、
前記表示画像生成手段は、前記画像データ読出手段により前記画像記憶手段に記憶された輝度成分データを水平ライン方向に順次読み出すとともに、前記画像記憶手段あるいは前記色成分記憶手段から色成分データを読み出す際に、同一水平ラインにおいては前記２種類の色成分データのうち一方の色成分データを前記画像記憶手段から読み出し、他方の色成分データを前記色成分記憶手段から読み出し、以降ライン毎の２種類の色成分データの読み出しを当該画像記憶手段と当該色成分記憶手段とから交互に行って、このインターレース動作で順次読み出された輝度成分データ、及び水平ライン毎に読み出された２種類の色成分データに基づいてカラー表示信号を生成して表示手段にフィールド毎にカラー画像を表示することを特徴とする請求項１又は２記載の画像表示装置。
【請求項５】
前記画像記憶制御手段は、前記入力カラー画像データの第１、第２のフィールド置きに２種類の色成分が１組となるように色成分データを水平ライン毎に前記画像記憶手段に一画面分記憶し、
前記表示画像生成手段は、前記色成分記憶手段に１水平ライン分の色成分データを記憶し、前記画像データ読出手段により前記画像記憶手段に記憶された輝度成分データをインターレース動作で１水平ライン置きに読み出すとともに、前記第１のフィールドの最初の水平ラインにおいては第１の色成分データを前記画像記憶手段から読み出し、第２の色成分データを前記色成分記憶手段から読み出し、第２のフィールドの最初の水平ラインにおいては第１の色成分データを前記色成分記憶手段から読み出し、第２の色成分データを前記画像記憶手段から読み出し、以降ライン毎の第１、第２の色成分データの読み出しを当該画像記憶手段と当該色成分記憶手段とから交互に行って、このインターレース動作で順次読み出された輝度成分データ、及びフィールド毎に読み出された２種類の色成分データに基づいてカラー表示信号を生成して表示手段にフィールド毎にカラー画像を表示することを特徴とする請求項４記載の画像表示装置。
【請求項６】
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶し、
前記表示画像生成手段は、
前記画像記憶手段から水平ライン方向に読み出した１水平ライン分の色成分データを記憶する第１の色成分記憶手段と、
前記画像記憶手段から水平ライン方向に読み出した１水平ライン分の色成分データを記憶する第２の色成分記憶手段と、
前記水平ライン毎に画像画像記憶手段から読み出された色成分データを、前記第１あるいは第２の色成分記憶手段を交互に選択して書き込む色成分書込手段と、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち前記色成分書込手段により選択されていない方から読み出す画像データ読出手段と、
を更に備え、
前記水平ライン毎に画像記憶手段から読み出された２種類の色成分データを、前記色成分書込手段により前記第１、第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示することを特徴とする画像表示装置。
【請求項７】
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶し、
前記表示画像生成手段は、
色成分記憶手段と、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出される輝度データと色成分データとに基づいて前記表示手段における表示画面の垂直方向の画素データを生成する画素生成手段と、
前記水平ライン毎に画像記憶手段から読み出される色成分データあるいは前記画素生成手段により生成された画素データを前記色成分記憶手段に書き込む色成分書込手段と、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出す画像データ読出手段と、
を更に備え、
前記画像データ読出手段により水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示することを特徴とする画像表示装置。
【請求項８】
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように各色成分データを水平ライン毎に一画面分記憶し、
前記画像記憶手段から水平ライン方向に読み出された１水平ライン分の色成分データを色成分記憶手段に記憶し、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出し、
前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示することを特徴とする画像表示方法。
【請求項９】
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記画像記憶手段に前記入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶し、
前記画像記憶手段から水平ライン方向に読み出した１水平ライン分の色成分データを第１の色成分記憶手段に記憶し、
前記画像記憶手段から水平ライン方向に読み出した１水平ライン分の色成分データを第２の色成分記憶手段に記憶し、
前記水平ライン毎に画像記憶手段から読み出された色成分データを、前記第１あるいは第２の色成分記憶手段を交互に選択して書き込み、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち選択されていない方から読み出し、
前記水平ライン毎に前記画像記憶手段から読み出された２種類の色成分データを、前記第１あるいは第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示することを特徴とする画像表示方法。
【請求項１０】
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記入力カラー画像データの垂直方向の所定画素数置きに２種類の色成分が１組の共通色成分となるように色成分データを水平ライン毎に前記画像記憶手段に一画面分記憶し、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出された輝度データと色成分データとに基づいて前記表示手段における表示画面の垂直方向の画素データを生成し、
前記水平ライン毎に画像記憶手段から読み出される色成分データあるいは前記画素生成手段により生成された画素データを色成分記憶手段に書き込み、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出し、
前記水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示することを特徴とする画像表示方法。
【請求項１１】
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように各色成分データを水平ライン毎に一画面分記憶させるプログラムコードと、
前記画像記憶手段から水平ライン方向に読み出された１水平ライン分の色成分データを色成分記憶手段に記憶させるプログラムコードと、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出させるプログラムコードと、
前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示させるプログラムコードと、
を格納したことを特徴とする記憶媒体。
【請求項１２】
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶させるプログラムコードと、
前記画像記憶手段から水平ライン方向に読み出した１水平ライン分の色成分データを第１の色成分記憶手段に記憶させるプログラムコードと、
前記画像記憶手段から水平ライン方向に読み出した１水平ライン分の色成分データを第２の色成分記憶手段に記憶させるプログラムコードと、
前記水平ライン毎に前記画像記憶手段から読み出された色成分データを、前記第１あるいは第２の色成分記憶手段を交互に選択して書き込ませるプログラムコードと、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち選択されていない方から読み出させるプログラムコードと、
前記水平ライン毎に前記画像記憶手段から読み出された２種類の色成分データを、前記第１、第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示させるプログラムコードと、
を格納したことを特徴とする記憶媒体。
【請求項１３】
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶させるプログラムコードと、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出された輝度データと色成分データとに基づいて前記表示手段における表示画面の垂直方向の画素データを生成させるプログラムコードと
前記水平ライン毎に画像記憶手段から読み出される色成分データあるいは前記画素生成手段により生成された画素データを色成分記憶手段に書き込ませるプログラムコードと、
、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出させるプログラムコードと、
前記水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示させるプログラムコードと、
を格納したことを特徴とする記憶媒体。
【発明の詳細な説明】
【０００１】
【発明の属する技術分野】
本発明は、撮像されたカラー画像データからカラー表示信号を生成して表示する画像表示装置、画像表示方法及び記憶媒体に関する。
【０００２】
【従来の技術】
従来、デジタルカメラ等で扱われるカラー静止画像は、その撮像した画像信号を輝度成分と色成分に分けて処理する場合、その輝度成分の処理がより重要になっている。このため一般的なデジタルカメラにおいては、例えばＣＣＤ（Charge Coupled Device ）などの撮像素子によって撮像された画像データから抽出される４画素分の輝度成分データ（Ｙデータ）に対して、Ｃｂ（色素信号：Ｂ−Ｙ）、Ｃｒ（色素信号：Ｒ−Ｙ）各１つずつの色成分データを抽出して処理するようにしている。すなわち、４画素分の輝度成分データに対してＣｂ、Ｃｒの各色成分データは、水平方向、垂直方向に１／２ずつ間引かれた状態で処理されていることになる。
【０００３】
このため、デジタルカメラ内で、その輝度成分データと色成分データとからビデオエンコーダ部においてビデオ信号を生成する際には、水平方向で２ドットずつ、垂直方向で２ラインずつ同じ色成分データを処理することになる。その水平方向の処理では、該当する２ドットの各色成分データは、同一フィールドのライン内で必ず隣り合っているため、当該２ドットの各色成分データを画像メモリから１度で続けて読み込むことが可能である。一方、垂直方向の処理では、該当する２ドットの各色成分データは、一方が第１フィールドのラインに、もう一方が第２フィールドの別のラインのデータとなるため、当該２ドットの各色成分データを画像メモリから２度に分けて読み込む必要がある。
【０００４】
【発明が解決しようとする課題】
しかしながら、このような従来のビデオカメラ内のビデオエンコーダ部にあっては、垂直方向の処理では、該当する２ドットの各色成分データは、一方が第１フィールドのラインに、もう一方が第２フィールドの別のラインのデータとなるため、当該２ドットの各色成分データを画像メモリから２度に分けて読み込むようになっていたため、以下に述べるような問題があった。
【０００５】
すなわち、ビデオエンコーダ部は、水平方向の処理において、画像メモリに書き込まれた１画面分の画像データのうち、最初のラインから１ライン置きに画像データ（第１フィールド）を処理した後に、残ったラインの画像データ（第２フィールド）を１ライン置きに処理していく。そして、ビデオエンコーダ部は、垂直方向の処理において、同一の色成分データを２ラインずつ処理することになるため、各ラインの各色成分データは第１フィールドと第２フィールドで２度処理されることになる。このため、垂直方向の処理では、画像メモリ内の同一色成分データへのアクセスを２度ずつ行うことになり、そのデジタルカメラ内の画像処理システム全体の処理速度を低下させるとともに、消費電力を増大させるという問題を発生させていた。
【０００６】
本発明の課題は、１画面分の画像データから１／２ずつ間引かれて抽出されるＣｂ、Ｃｒの各色成分データを１ライン分記憶する色成分メモリを設け、画像メモリからは各ライン毎にＣｂあるいはＣｒのいずれか一方の色成分データを交互に読み出して、前ラインの処理で色成分メモリに記憶しておいた相対するＣｒあるいはＣｂ色成分データと組み合わせて表示データを生成して、画像メモリにアクセスする回数を減らして、画像表示装置における処理速度と消費電力を改善する画像表示装置、画像表示方法及び記憶媒体を提供することである。
【０００７】
【課題を解決するための手段】
請求項１記載の発明は、
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶し、
前記表示画像生成手段は、
前記画像記憶手段から水平ライン方向に読み出した１水平ライン分の色成分データを記憶する色成分記憶手段と、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出す画像データ読出手段と、
前記画像記憶手段から読み出された色成分データを前記色成分記憶手段に書き込む色成分書込手段と、
を更に備え、
前記表示画像生成手段は、前記画像データ読出手段により前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示することを特徴としている。
【０００８】
この請求項１記載の発明によれば、
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶し、
前記表示画像生成手段は、
前記画像記憶手段から水平ライン方向に読み出した１水平ライン分の色成分データを記憶する色成分記憶手段と、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出す画像データ読出手段と、
前記画像記憶手段から読み出された色成分データを前記色成分記憶手段に書き込む色成分書込手段と、
を更に備え、
前記表示画像生成手段は、前記画像データ読出手段により前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示する。
【０００９】
したがって、画像記憶手段に蓄積された１フレームの画像データ内の同一の色成分データに２回ずつアクセスする必要がなくなり、画像表示装置内のデータ処理速度の高速化と消費電力の低減を図ることができる。
【００１０】
請求項２記載の発明は、請求項１記載の画像表示装置において、
前記表示画像生成手段は、前記画像データ読出手段により前記画像記憶手段に記憶された輝度成分データを水平ライン方向に順次読み出す際に、一定数の水平ライン置きに輝度成分データを複数回読み出すとともに、当該一定数の水平ライン置きに色成分データを前記画像記憶手段あるいは前記色成分記憶手段から複数回読み出して、この水平ライン毎に順次読み出された輝度成分データと色成分データ、及び一定数の水平ライン置きに複数回読み出された輝度成分データと色成分データに基づいてカラー表示信号を生成して表示手段にカラー画像を表示することが有効である。
【００１１】
この請求項２記載の発明によれば、
前記表示画像生成手段は、前記画像データ読出手段により前記画像記憶手段に記憶された輝度成分データを水平ライン方向に順次読み出す際に、一定数の水平ライン置きに輝度成分データを複数回読み出すとともに、当該一定数の水平ライン置きに色成分データを前記画像記憶手段あるいは前記色成分記憶手段から複数回読み出して、この水平ライン毎に順次読み出された輝度成分データと色成分データ、及び一定数の水平ライン置きに複数回読み出された輝度成分データと色成分データに基づいてカラー表示信号を生成して表示手段にカラー画像を表示する。
【００１２】
したがって、１フレームの画像データ転送処理により、例えば、４８０ライン分の入力カラー画像データから５７６ライン分の画像データを作成してカラー表示信号を作成ことができる。このため、例えば、１種類の入力カラー画像データからビデオエンコーダにおいてライン数の異なるＮＴＳＣとＰＡＬの２種類のビデオ信号を作成することができ、画像表示装置内の部品点数を削減することができる。
【００１３】
請求項３記載の発明は、請求項１又は２記載の画像表示装置において、
前記画像記憶制御手段は、前記入力カラー画像データの垂直方向の１画素置きに２種類の色成分が１組の共通色成分となるように色成分データを水平ライン毎に前記画像記憶手段に一画面分記憶し、
前記表示画像記憶手段は、前記色成分書込手段により、前記入力カラー画像データの水平ラインを奇数又は偶数ライン毎に区分した１フィールド分の前記入力カラー画像データに含まれる１水平ライン分の色成分データを前記色成分記憶手段に記憶し、前記画像データ読出手段により前記画像記憶手段に記憶された輝度成分データをインターレース動作で１水平ライン置きに読み出すとともに、前記画像記憶手段あるいは前記色成分記憶手段からインターレース動作で前記１水平ライン置きに色成分データを読み出して、このインターレース動作で順次読み出された輝度成分データ、及び色成分データに基づいてカラー表示信号を生成して表示手段にフィールド毎にカラー画像を表示することが有効である。
【００１４】
この請求項３記載の発明によれば、
前記画像記憶制御手段は、前記入力カラー画像データの垂直方向の１画素置きに２種類の色成分が１組の共通色成分となるように色成分データを水平ライン毎に前記画像記憶手段に一画面分記憶し、
前記表示画像記憶手段は、前記色成分書込手段により、前記入力カラー画像データの水平ラインを奇数又は偶数ライン毎に区分した１フィールド分の前記入力カラー画像データに含まれる１水平ライン分の色成分データを前記色成分記憶手段に記憶し、前記画像データ読出手段により前記画像記憶手段に記憶された輝度成分データをインターレース動作で１水平ライン置きに読み出すとともに、前記画像記憶手段あるいは前記色成分記憶手段からインターレース動作で前記１水平ライン置きに色成分データを読み出して、このインターレース動作で順次読み出された輝度成分データ、及び色成分データに基づいてカラー表示信号を生成して表示手段にフィールド毎にカラー画像を表示する。
【００１５】
したがって、画像記憶手段に蓄積された１フレームの画像データ内の同一の色成分データに２回ずつアクセスする必要がなくなり、色成分記憶手段に対するアクセス時間に余裕を持たせることができ、画像表示装置のデータ処理速度の高速化と消費電力の低減を図ることができる。
【００１６】
請求項４記載の発明は、請求項１又は２記載の画像表示装置において、
前記画像記憶制御手段は、前記入力カラー画像データの垂直方向の１画素置きに２種類の色成分が１組の共通色成分となるように色成分データを水平ライン毎に前記画像記憶手段に一画面分記憶し、
前記表示画像生成手段は、前記画像データ読出手段により前記画像記憶手段に記憶された輝度成分データを水平ライン方向に順次読み出すとともに、前記画像記憶手段あるいは前記色成分記憶手段から色成分データを読み出す際に、同一水平ラインにおいては前記２種類の色成分データのうち一方の色成分データを前記画像記憶手段から読み出し、他方の色成分データを前記色成分記憶手段から読み出し、以降ライン毎の２種類の色成分データの読み出しを当該画像記憶手段と当該色成分記憶手段とから交互に行って、このインターレース動作で順次読み出された輝度成分データ、及び水平ライン毎に読み出された２種類の色成分データに基づいてカラー表示信号を生成して表示手段にフィールド毎にカラー画像を表示することが有効である。
【００１７】
この請求項４記載の発明によれば、
前記画像記憶制御手段は、前記入力カラー画像データの垂直方向の１画素置きに２種類の色成分が１組の共通色成分となるように色成分データを水平ライン毎に前記画像記憶手段に一画面分記憶し、
前記表示画像生成手段は、前記画像データ読出手段により前記画像記憶手段に記憶された輝度成分データを水平ライン方向に順次読み出すとともに、前記画像記憶手段あるいは前記色成分記憶手段から色成分データを読み出す際に、同一水平ラインにおいては前記２種類の色成分データのうち一方の色成分データを前記画像記憶手段から読み出し、他方の色成分データを前記色成分記憶手段から読み出し、以降ライン毎の２種類の色成分データの読み出しを当該画像記憶手段と当該色成分記憶手段とから交互に行って、このインターレース動作で順次読み出された輝度成分データ、及び水平ライン毎に読み出された２種類の色成分データに基づいてカラー表示信号を生成して表示手段にフィールド毎にカラー画像を表示する。
【００１８】
したがって、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置のデータ処理速度の高速化と消費電力の低減を図ることができる。
【００１９】
請求項５記載の発明は、
請求項４記載の画像表示装置において、
前記画像記憶制御手段は、前記入力カラー画像データの第１、第２のフィールド置きに２種類の色成分が１組となるように色成分データを水平ライン毎に前記画像記憶手段に一画面分記憶し、
前記表示画像生成手段は、前記色成分記憶手段に１水平ライン分の色成分データを記憶し、前記画像データ読出手段により前記画像記憶手段に記憶された輝度成分データをインターレース動作で１水平ライン置きに読み出すとともに、前記第１のフィールドの最初の水平ラインにおいては第１の色成分データを前記画像記憶手段から読み出し、第２の色成分データを前記色成分記憶手段から読み出し、第２のフィールドの最初の水平ラインにおいては第１の色成分データを前記色成分記憶手段から読み出し、第２の色成分データを前記画像記憶手段から読み出し、以降ライン毎の第１、第２の色成分データの読み出しを当該画像記憶手段と当該色成分記憶手段とから交互に行って、このインターレース動作で順次読み出された輝度成分データ、及びフィールド毎に読み出された２種類の色成分データに基づいてカラー表示信号を生成して表示手段にフィールド毎にカラー画像を表示することが有効である。
【００２０】
この請求項５記載の発明によれば、
前記画像記憶制御手段は、前記入力カラー画像データの第１、第２のフィールド置きに２種類の色成分が１組となるように色成分データを水平ライン毎に前記画像記憶手段に一画面分記憶し、前記表示画像生成手段は、前記色成分記憶手段に１水平ライン分の色成分データを記憶し、前記画像データ読出手段により前記画像記憶手段に記憶された輝度成分データをインターレース動作で１水平ライン置きに読み出すとともに、前記第１のフィールドの最初の水平ラインにおいては第１の色成分データを前記画像記憶手段から読み出し、第２の色成分データを前記色成分記憶手段から読み出し、第２のフィールドの最初の水平ラインにおいては第１の色成分データを前記色成分記憶手段から読み出し、第２の色成分データを前記画像記憶手段から読み出し、以降ライン毎の第１、第２の色成分データの読み出しを当該画像記憶手段と当該色成分記憶手段とから交互に行って、このインターレース動作で順次読み出された輝度成分データ、及びフィールド毎に読み出された２種類の色成分データに基づいてカラー表示信号を生成して表示手段にフィールド毎にカラー画像を表示する。
【００２１】
したがって、フィールド毎にインターレース動作で画像記憶手段に蓄積された１フレームの画像データ内の２種類の色成分データの読み出し場所が変更されるため、その２種類の色成分データの夫々に２回ずつアクセスする必要がなくなり、画像記憶手段と色成分記憶手段に対するアクセス時間に余裕を持たせることができ、画像表示装置のデータ処理速度の高速化と消費電力の低減を図ることができる。
【００２２】
請求項６記載の発明は、
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶し、
前記表示画像生成手段は、
前記画像記憶手段から水平ライン方向に読み出した１水平ライン分の色成分データを記憶する第１の色成分記憶手段と、
前記画像記憶手段から水平ライン方向に読み出した１水平ライン分の色成分データを記憶する第２の色成分記憶手段と、
前記水平ライン毎に画像画像記憶手段から読み出された色成分データを、前記第１あるいは第２の色成分記憶手段を交互に選択して書き込む色成分書込手段と、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち前記色成分書込手段により選択されていない方から読み出す画像データ読出手段と、
を更に備え、
前記水平ライン毎に画像記憶手段から読み出された２種類の色成分データを、前記色成分書込手段により前記第１、第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示することを特徴としている。
【００２３】
この請求項６記載の発明によれば、
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶し、
前記表示画像生成手段は、
前記画像記憶手段から水平ライン方向に読み出した１水平ライン分の色成分データを記憶する第１の色成分記憶手段と、
前記画像記憶手段から水平ライン方向に読み出した１水平ライン分の色成分データを記憶する第２の色成分記憶手段と、
前記水平ライン毎に画像画像記憶手段から読み出された色成分データを、前記第１あるいは第２の色成分記憶手段を交互に選択して書き込む色成分書込手段と、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち前記色成分書込手段により選択されていない方から読み出す画像データ読出手段と、
を更に備え、
前記水平ライン毎に画像記憶手段から読み出された２種類の色成分データを、前記色成分書込手段により前記第１、第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示する。
【００２４】
したがって、１フレームの画像データ転送処理により、水平ライン毎に２種類の色成分データの読み出し場所として、画像記憶手段と色成分記憶手段とが画像データの転送状態に応じて選択されるため、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置のデータ処理速度の高速化と消費電力の低減を図ることができる。
【００２５】
請求項７記載の発明は、
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶し、
前記表示画像生成手段は、
色成分記憶手段と、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出される輝度データと色成分データとに基づいて前記表示手段における表示画面の垂直方向の画素データを生成する画素生成手段と、
前記水平ライン毎に画像記憶手段から読み出される色成分データあるいは前記画素生成手段により生成された画素データを前記色成分記憶手段に書き込む色成分書込手段と、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出す画像データ読出手段と、
を更に備え、
前記画像データ読出手段により水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示することを特徴としている。
【００２６】
この請求項７記載の発明によれば、
入力される所定解像度のカラー画像データを輝度成分データと色成分データとに分離して画像記憶手段に一画面分記憶する画像記憶制御手段と、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する表示画像生成手段と、を備えた画像表示装置において、
前記画像記憶制御手段は、前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶し、
前記表示画像生成手段は、
色成分記憶手段と、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出される輝度データと色成分データとに基づいて前記表示手段における表示画面の垂直方向の画素データを生成する画素生成手段と、
前記水平ライン毎に画像記憶手段から読み出される色成分データあるいは前記画素生成手段により生成された画素データを前記色成分記憶手段に書き込む色成分書込手段と、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出す画像データ読出手段と、
を更に備え、
前記画像データ読出手段により水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示する。
【００２７】
したがって、１フレームの画像データ転送処理により、所定数の水平ライン置きに輝度成分データと色成分データを複数回読み出して、同一ラインで複数のカラー表示信号を生成することにより、例えば、４８０ライン分の入力カラー画像データから５７６ライン分のカラー表示信号を作成ことができる。このため、例えば、１種類の入力カラー画像データからビデオエンコーダにおいてライン数の異なるＮＴＳＣとＰＡＬの２種類のビデオ信号を作成することができ、画像表示装置内の部品点数を削減することができる。
【００２８】
請求項８記載の発明は、
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように各色成分データを水平ライン毎に一画面分記憶し、
前記画像記憶手段から水平ライン方向に読み出された１水平ライン分の色成分データを色成分記憶手段に記憶し、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出し、
前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示することを特徴としている。
【００２９】
この請求項８記載の発明によれば、
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記画像記憶手段に前記入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように各色成分データを水平ライン毎に一画面分記憶し、
前記画像記憶手段から水平ライン方向に読み出された１水平ライン分の色成分データを色成分記憶手段に記憶し、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出し、
前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示する。
【００３０】
したがって、画像記憶手段に蓄積された１フレームの画像データ内の同一の色成分データに２回ずつアクセスする必要がなくなり、画像表示装置におけるデータ処理速度の高速化と消費電力の低減を図ることができる画像表示方法を提供することができる。
【００３１】
請求項９記載の発明は、
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記画像記憶手段に前記入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶し、
前記画像記憶手段から水平ライン方向に読み出した１水平ライン分の色成分データを第１の色成分記憶手段に記憶し、
前記画像記憶手段から水平ライン方向に読み出した１水平ライン分の色成分データを第２の色成分記憶手段に記憶し、
前記水平ライン毎に画像記憶手段から読み出された色成分データを、前記第１あるいは第２の色成分記憶手段を交互に選択して書き込み、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち選択されていない方から読み出し、
前記水平ライン毎に前記画像記憶手段から読み出された２種類の色成分データを、前記第１あるいは第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示することを特徴としている。
【００３２】
この請求項９記載の発明によれば、
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記画像記憶手段に前記入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶し、
前記画像記憶手段から水平ライン方向に読み出した１水平ライン分の色成分データを第１の色成分記憶手段に記憶し、
前記画像記憶手段から水平ライン方向に読み出した１水平ライン分の色成分データを第２の色成分記憶手段に記憶し、
前記水平ライン毎に画像記憶手段から読み出された色成分データを、前記第１あるいは第２の色成分記憶手段を交互に選択して書き込み、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち選択されていない方から読み出し、
前記水平ライン毎に前記画像記憶手段から読み出された２種類の色成分データを、前記第１あるいは第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示する。
【００３３】
したがって、１フレームの画像データ転送処理により、水平ライン毎に２種類の色成分データの読み出し場所として、画像記憶手段と色成分記憶手段とが画像データの転送状態に応じて選択されるため、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置におけるデータ処理速度の高速化と消費電力の低減を図ることができる画像表示方法を提供することができる。
【００３４】
請求項１０記載の発明は、
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記入力カラー画像データの垂直方向の所定画素数置きに２種類の色成分が１組の共通色成分となるように色成分データを水平ライン毎に前記画像記憶手段に一画面分記憶し、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出された輝度データと色成分データとに基づいて前記表示手段における表示画面の垂直方向の画素データを生成し、
前記水平ライン毎に画像記憶手段から読み出される色成分データあるいは前記画素生成手段により生成された画素データを色成分記憶手段に書き込み、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出し、
前記水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示することを特徴としている。
【００３５】
この請求項１０記載の発明によれば、
入力される所定解像度のカラー画像データを輝度成分データと色成分データとに分離して画像記憶手段に一画面分記憶し、この画像記憶手段に記憶された一画面分の輝度成分データと色成分データを水平ライン方向に順次読み出し、この読み出した水平ライン方向の輝度成分データと色成分データに基づいてカラー表示信号を順次生成して表示手段にカラー画像を表示する画像表示方法において、
前記入力カラー画像データの垂直方向の所定画素数置きに２種類の色成分が１組の共通色成分となるように色成分データを水平ライン毎に前記画像記憶手段に一画面分記憶し、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出された輝度データと色成分データとに基づいて前記表示手段における表示画面の垂直方向の画素データを生成し、
前記水平ライン毎に画像記憶手段から読み出される色成分データあるいは前記画素生成手段により生成された画素データを色成分記憶手段に書き込み、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出し、
前記水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示する。
【００３６】
したがって、１フレームの画像データ転送処理により、所定数の水平ライン置きに輝度成分データと色成分データを複数回読み出して、同一ラインで複数のカラー表示信号を生成することにより、例えば、４８０ライン分の入力カラー画像データから５７６ライン分のカラー表示信号を作成ことができる画像表示方法を提供することができる。
【００３７】
請求項１１記載の発明は、
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように各色成分データを水平ライン毎に一画面分記憶させるプログラムコードと、
前記画像記憶手段から水平ライン方向に読み出された１水平ライン分の色成分データを色成分記憶手段に記憶させるプログラムコードと、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出させるプログラムコードと、
前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示させるプログラムコードと、
を格納したことを特徴としている。
【００３８】
この請求項１１記載の発明によれば、
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように各色成分データを水平ライン毎に一画面分記憶させるプログラムコードと、
前記画像記憶手段から水平ライン方向に読み出された１水平ライン分の色成分データを色成分記憶手段に記憶させるプログラムコードと、
前記画像記憶手段に記憶された輝度成分データを水平ライン方向に順次読み出すとともに、当該水平ライン位置の色成分データが前記色成分記憶手段に記憶されていなければ、前記画像記憶手段に記憶された当該水平ライン位置に含まれる２種類の色成分データを交互に読み出し、当該水平ライン位置の色成分データが前記色成分記憶手段に記憶されていれば、該色成分記憶手段から当該水平ライン位置の色成分データを読み出させるプログラムコードと、
前記画像記憶手段に記憶された輝度成分データを水平ライン方向に順次読み出す際に、前記所定画素数の水平ライン置きに輝度成分データを読み出すとともに、当該所定画素数の水平ライン置きに色成分データを前記画像記憶手段あるいは前記色成分記憶手段から読み出して、この水平ライン毎に順次読み出された輝度成分データと色成分データとに基づいてカラー表示信号を生成して表示手段にカラー画像を表示させるプログラムコードと、
を格納する。
【００３９】
したがって、コンピュータによって記憶媒体に格納されているプログラムを読み出して実行することで、画像記憶手段に蓄積された１フレームの画像データ内の同一の色成分データに２回ずつアクセスする必要がなくなり、画像表示装置におけるデータ処理速度の高速化と消費電力の低減を図ることができる。
【００４０】
請求項１２記載の発明は、
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶させるプログラムコードと、
前記画像記憶手段から水平ライン方向に読み出した１水平ライン分の色成分データを第１の色成分記憶手段に記憶させるプログラムコードと、
前記画像記憶手段から水平ライン方向に読み出した１水平ライン分の色成分データを第２の色成分記憶手段に記憶させるプログラムコードと、
前記水平ライン毎に前記画像記憶手段から読み出された色成分データを、前記第１あるいは第２の色成分記憶手段を交互に選択して書き込ませるプログラムコードと、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち選択されていない方から読み出させるプログラムコードと、
前記水平ライン毎に前記画像記憶手段から読み出された２種類の色成分データを、前記第１、第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示させるプログラムコードと、
を格納したことを特徴としている。
【００４１】
この請求項１２記載の発明によれば、
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の１画素数置きに２種類の色成分が１組の共通色成分となるように色成分データを水平ライン毎に一画面分記憶させるプログラムコードと、
前記画像記憶手段から水平ライン方向に読み出した１水平ライン分の色成分データを第１の色成分記憶手段に記憶させるプログラムコードと、
前記画像記憶手段から水平ライン方向に読み出した１水平ライン分の色成分データを第２の色成分記憶手段に記憶させるプログラムコードと、
前記水平ライン毎に前記画像記憶手段から読み出された色成分データを、前記第１あるいは第２の色成分記憶手段を交互に選択して書き込ませるプログラムコードと、
前記画像記憶手段に記憶された輝度成分データをインターレース動作で１水平ライン置きに読み出すとともに、前記色成分データを読み出す際に、同一水平ラインにおいては前記２種類の色成分データのうち一方の色成分データを前記画像記憶手段から読み出し、他方の色成分データを前記第１、第２の色成分記憶手段のうち選択されていない方から読み出させるプログラムコードと、
前記水平ライン毎に前記画像記憶手段から読み出された２種類の色成分データを、前記第１、第２の色成分記憶手段を交互に選択して書き込み、該２種類の色成分データの読み出しを前記画像記憶手段と前記第１、第２の色成分記憶手段とから順次替えて行って、このインターレース動作で順次読み出された輝度成分データ、及び２種類の色成分データに基づいてカラー表示信号を生成して表示手段にカラー画像を表示させるプログラムコードと、
を格納する。
【００４２】
したがって、コンピュータによって記憶媒体に格納されているプログラムを読み出して実行することで、１フレームの画像データ転送処理により、水平ライン毎に２種類の色成分データの読み出し場所として、画像記憶手段と色成分記憶手段とが画像データの転送状態に応じて選択されるため、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置におけるデータ処理速度の高速化と消費電力の低減を図ることができる。
【００４３】
請求項１３記載の発明は、
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶させるプログラムコードと、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出された輝度データと色成分データとに基づいて前記表示手段における表示画面の垂直方向の画素データを生成させるプログラムコードと
前記水平ライン毎に画像記憶手段から読み出される色成分データあるいは前記画素生成手段により生成された画素データを色成分記憶手段に書き込ませるプログラムコードと、
、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出させるプログラムコードと、
前記水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示させるプログラムコードと、
を格納したことを特徴としている。
【００４４】
この請求項１３記載の発明によれば、
カラー画像データの表示機能を実現するためのコンピュータが読み取り可能なプログラムを格納した記憶媒体であって、
画像記憶手段に入力カラー画像データの垂直方向の全画素数に１対１に対応する輝度成分データを一画面分記憶するとともに、前記入力カラー画像データの垂直方向の所定画素数置きに２種類の色成分が１組の共通色成分となるように色成分データを水平ライン毎に一画面分記憶させるプログラムコードと、
前記画像記憶手段に記憶された輝度成分データを所定数の水平ライン置きに輝度成分データを複数回読み出すとともに、当該所定数の水平ライン置きに当該水平ライン位置に含まれる２種類の色成分データを前記画像記憶手段から複数回ずつ交互に読み出し、あるいは前記色成分記憶手段から複数回読み出し、この複数回読み出された輝度データと色成分データとに基づいて前記表示手段における表示画面の垂直方向の画素データを生成させるプログラムコードと、
前記水平ライン毎に画像記憶手段から読み出される色成分データあるいは前記画素生成手段により生成された画素データを色成分記憶手段に書き込ませるプログラムコードと、
、
前記画像記憶手段に記憶された輝度成分データを水平ライン方向に順次読み出すとともに、当該水平ライン位置の色成分データが前記色成分記憶手段に記憶されていなければ、前記色成分書込手段により当該色成分記憶手段に記憶された当該水平ライン位置の画素データを読み出し、当該水平ライン位置の色成分データが前記色成分記憶手段に記憶されていれば、該色成分記憶手段から当該水平ライン位置の色成分データに含まれる２種類の色成分データを交互に読み出させるプログラムコードと、
前記水平ライン毎に読み出される輝度成分データと色成分データ、及び一定数の水平ライン置きに複数回読み出される輝度成分データと色成分データあるいは画素データに基づいてカラー表示信号を生成して表示手段にカラー画像を表示させるプログラムコードと、
を格納する。
【００４５】
したがって、コンピュータによって記憶媒体に格納されているプログラムを読み出して実行することで、１フレームの画像データ転送処理により、所定数の水平ライン置きに輝度成分データと色成分データを複数回読み出して、同一ラインで複数のカラー表示信号を生成することにより、例えば、４８０ライン分の入力カラー画像データから５７６ライン分のカラー表示信号を作成ことができる。
【００４６】
【発明の実施の形態】
以下、図を参照して本発明の実施の形態を詳細に説明する。
【００４７】
（第１の実施の形態）
図１〜図７は、本発明の画像表示装置及び画像表示方法を適用した第１の実施の形態のデジタルカメラを示す図である。
【００４８】
まず、構成を説明する。
【００４９】
図１は、本第１の実施の形態のデジタルカメラ１の要部構成を示すブロック図である。この図１において、デジタルカメラ１は、ＣＣＤ２、ＣＣＤ制御部３、ＹＵＶプロセッサ４、メモリコントローラ５、画像メモリ６、キー処理部７、ＣＰＵ８、ＲＯＭ９、記憶媒体１０、ビデオエンコーダ１１及び液晶モジュール１２により構成されている。
【００５０】
ＣＣＤ（Charge Coupled Device ）２は、フォトダイオード等の受光部に転送電極を重ねた素子（画素）を平面状に多数配設した画素面と、各画素に蓄積された電荷を電圧に変換して出力するバッファを有する出力部と、から構成される。このＣＣＤ２では、図外の図示しない撮像レンズを介して入射した光が前記画素面で受光され、各画素には受光量に比例した電荷が蓄積される。各画素の蓄積電荷は、ＣＣＤ制御部３から供給される駆動信号に応じて前記出力部により電気信号として１画素分ずつ順次読み出され、撮像信号（アナログ信号）としてバッファを介してＣＣＤ制御部３に出力される。
【００５１】
ＣＣＤ制御部３は、ＣＣＤ２から入力される撮像信号をＡ／Ｄ（Analog to D-igital）変換するＡ／Ｄ変換回路と、ＣＣＤ２の露光及び読み出しタイミングを駆動制御する駆動制御回路と、その駆動制御回路における駆動タイミングを制御するタイミングジェネレータと、から構成される。このＣＣＤ制御部３では、ＣＣＤ２からその出力部のバッファを介して入力される撮像信号をアナログ信号からデジタル信号に変換してタイミングジェネレータに供給し、タイミングジェネレータは、そのＡ／Ｄ変換回路から供給されたデジタル信号を撮像信号としてＹＵＶプロセッサに出力する。また、駆動制御回路では、タイミングジェネレータから供給されるタイミング信号に基づいてＣＣＤ２の露光及び読み出しタイミングを駆動制御する。
【００５２】
ＹＵＶプロセッサ４は、ＣＣＤ制御部３内のタイミングジェネレータを介して供給された撮像信号（デジタル信号）に対して色演算処理を行ない、４画素分の画像データに対して、４つの輝度データ（Ｙ）とＣｂ、Ｃｒ各１つの色データを生成し、この４つの輝度データ（Ｙデータ）とＣｂデータあるいはＣｒデータのうち１つの色データから構成されるＹＵＶデータをメモリコントローラ５に順次出力する。
【００５３】
メモリコントローラ５は、ＹＵＶプロセッサ４から４画素分の画像データ毎に順次入力される４つの輝度データ（Ｙ）とＣｂ、Ｃｒ各１つの色データを画像メモリ６に順次転送して蓄積させ、すなわち、ＣＣＤ２の４画素数分の各画像データから順次生成されて転送される１フレーム分の３種類のデータを画像メモリ６に順次蓄積させる。また、メモリコントローラ５は、後述する１フレームの転送処理を実行して、画像メモリ６に蓄積した１フレームの画像データをビデオエンコーダ１１に転送する。この１フレームの画像データ処理を実行するため、メモリコントローラ５は、転送するライン番号をセットするライン番号レジスタと、そのライン毎に転送するＣデータ（色データ）がＣｂデータかＣｒデータを設定するカラーフラグ（０：Ｃｂデータ，１：Ｃｒデータ）と、を内蔵している。
【００５４】
画像メモリ６は、メモリコントローラ５により転送される３種類のデータ（４つの輝度データ（Ｙデータ）とＣｂデータ、Ｃｒデータの各１つの色データ）をＣＣＤ２の４画素数分ずつＹＵＶデータとして蓄積する。したがって、画像メモリ６には、ＣＣＤ２の全画素数分の輝度データと、縦横に半分に間引かれた（全画素数／４）個分のＣｂデータ、同じく（全画素数／４）個分のＣｒデータが１フレーム分記憶されることになる。
【００５５】
キー処理部７は、図示しないモード切換スイッチ、電源スイッチ、及びシャッターキー等により構成され、各キーの押圧操作に応じた各種操作信号をＣＰＵ８に出力する。
【００５６】
ＣＰＵ（Central Processing Unit ）８は、ＲＯＭ９に格納される各種制御プログラムに従ってデジタルカメラ１の各部を制御する中央演算処理装置である。具体的には、ＣＰＵ８は、モード切換スイッチがスライド操作されて撮影モードが指定されると、ＣＣＤ制御部３によりＣＣＤ２を駆動制御させて、ＣＣＤ制御部３、ＹＵＶプロセッサ４、及びメモリコントローラ５により撮影に係る処理を実行させる。
【００５７】
この撮影処理に際して、ＣＣＤ２により撮像されたアナログ信号の画像信号が、ＣＣＤ制御部３によりＡ／Ｄ変換され、そのデジタル画像信号がＹＵＶプロセッサ４により色演算処理が行なわれて、４画素分ずつの画像データに対して、４つの輝度データ（Ｙ）とＣｂ、Ｃｒ各１つの色データが順次生成されてメモリコントローラ５に入力されると、メモリコントローラ５により画像メモリ６に蓄積された後、キー処理部７においてモード切換スイッチがスライド操作されて画像表示モードが指定されると、メモリコントローラ５、及びビデオエンコーダ１１に対して後述する画像データの転送処理を実行させる。
【００５８】
すなわち、ＣＰＵ８は、メモリコントローラ５、及びビデオエンコーダ１１に対して画像メモリ６に蓄積された３種類のデータ（輝度データ、及びＣｂ、Ｃｒ各色成分データ）を、ビデオエンコーダ１１内に設けられた色信号メモリにフィールド毎のライン毎にＣｂあるいはＣｒのいずれか一方の色成分データを交互に読み出して記憶させ、前ラインの処理で色成分メモリに記憶しておいた相対するＣｒあるいはＣｂ色成分データと組み合わせて表示データを順次生成させて、液晶モジュール１２に順次転送させて表示させ、画像メモリに２回ずつアクセスするとを不要にする。
【００５９】
ＲＯＭ（Read Only Memory）９は、ＣＰＵ８がデジタルカメラ１の各部を制御するための各種制御プログラムを格納するとともに、ＣＰＵ８により実行される後述する画像転送処理プログラムを格納している。
【００６０】
記憶媒体１０は、磁気的、光学的記録媒体、若しくは半導体メモリにより構成されており、ＣＰＵ８から転送される画像データを、その格納順に格納Ｎｏ．データと対応付けて複数格納する。
【００６１】
ビデオエンコーダ１１は、その内部の回路構成は図２に示すように、入力インターフェース１１１、ＹＣ分離部１１２、現ラインＹ信号処理部１１３、現ラインＣ信号処理部１１４、Ｃ信号メモリ１１５、ラッチ回路１１６、前ラインＣ信号処理部１１７、ビデオ信号作成部１１８、及び出力インターフェース１９により構成されている。
【００６２】
入力インターフェース１１１は、メモリコントローラ５により画像メモリ６から第１フィールド、第２フィールドに応じて１ライン置きに読み出されて順次転送されるＹデータ、ＣｂデータあるいはＣｒデータの３種類のデータから構成された画像データを、その信号名「ｉｎｐｕｔ」としてＹＣ分離部１１２に順次出力する。
【００６３】
ＹＣ分離部１１２は、入力インターフェース１１１から「ｉｎｐｕｔ」として順次入力されるＹデータ、ＣｂデータあるいはＣｒデータから構成された画像データをＹデータとＣｂデータあるいはＣｒデータに分離し、その分離したＹデータを現ラインＹ信号処理部１１３に信号名「ｙ  ｉｎ」として出力し、その分離したＣデータ（ＣｂあるいはＣｒ）を現ラインＣ信号処理部１１４に「ｃ１  ｉｎ」として出力するとともに、Ｃ信号メモリ１１５に「ｃ１  ｉｎ」として出力して記憶させる。
【００６４】
現ラインＹ信号処理部１１３は、ＹＣ分離部１１２から信号名「ｙ  ｉｎ」として入力されるＹデータを信号処理して信号名「ｙ  ｄａｔａ」としてビデオ信号作成部１１８に出力する。
【００６５】
現ラインＣ信号処理部１１４は、ＹＣ分離部１１２から信号名「ｃ１  ｉｎ」として入力されるＣデータ（ＣｂあるいはＣｒ）を信号処理して信号名「ｃ１  ｄａｔａ」としてビデオ信号作成部１１８に出力する。
【００６６】
Ｃ信号メモリ１１５は、ＹＣ分離部１１２から「ｃ１  ｉｎ」として転送されるＣｂ、Ｃｒデータを１ライン分記憶するメモリ容量を有する。このＣ信号メモリ１１５では、現ラインのＣデータ「ｃ１  ｉｎ」が入力する前に、前ラインの同じ水平位置のＣデータ（ＣｂあるいはＣｒ）を読み出して信号名「ｍｅｍ  ｏｕｔ」としてラッチ回路１１６に出力する。
【００６７】
ラッチ回路１１６は、Ｃ信号メモリ１１５から「ｍｅｍ  ｏｕｔ」として入力される前ラインの同じ水平位置のＣデータ（ＣｂあるいはＣｒ）を所定時間（前ラインから現ラインのデータ処理に移行するまでの時間）ラッチした後、信号名「ｃ２  ｉｎ」として前ラインＣ信号処理部１１７に出力する。
【００６８】
前ラインＣ信号処理部１１７は、ラッチ回路１１６から信号名「ｃ２  ｉｎ」として入力される前ラインの同じ水平位置のＣデータ（ＣｂあるいはＣｒ）を信号処理して信号名「ｃ２  ｄａｔａ」としてビデオ信号作成部１１８に出力する。
【００６９】
ビデオ信号作成部１１８は、現ラインＹ信号処理部１１３から「ｙ  ｄａｔａ」として入力される現ラインのＹデータと、現ラインＣ信号処理部１１４から「ｃ１  ｄａｔａ」として入力されるＣデータ（ＣｂあるいはＣｒ）と、前ラインＣ信号処理部１１７から「ｃ２  ｄａｔａ」として入力される前ラインの同じ水平位置のＣデータ（ＣｂあるいはＣｒ）と、からビデオ信号を作成して信号名「ｏｕｔｐｕｔ」として出力インターフェース１１９に出力する。
【００７０】
出力インターフェース１１９は、ビデオ信号作成部１１８から「ｏｕｔｐｕｔ」として入力されるビデオ信号を図１の液晶モジュール１２に出力する。
【００７１】
再度、図１において液晶モジュール１２は、ビデオエンコーダ１１から入力されるビデオ信号に基づいて表示画面に画像を表示する。
【００７２】
次に、本第１の実施の形態の動作を説明する。
【００７３】
まず、図１のＣＣＤ２及びＣＣＤ制御部３により撮像された撮像データが、ＹＵＶプロセッサ４により色変換された後、メモリコントローラ５により画像メモリ６に蓄積された１画面分の画像データ（デジタルデータ）のデータ構成について図３を参照して説明する。
【００７４】
この図３に示す画像データでは、そのＣＣＤ２の画素数が垂直６４０ドット（ｄｏｔ＝０〜６３９）×水平４８０ドット（ｌｉｎｅ＝０〜４７９）である場合であり、隣接する４画素を１つのＹＵＶユニットとすると、１つのＹＵＶユニットの中にはＹデータ（輝度データ）が４つ、Ｃｂデータが１つ、Ｃｒデータが１つ含まれている。すなわち、撮像データには、ＣＣＤ２の全画素に対してＹデータが全画素数個、Ｃｂ，Ｃｒデータがそれぞれ（画素数／４）個あることになる。例えば、図３において、矢印で示すＹＵＶユニット（＝４画素）では、４つのＹデータ（Ｙ（０，１２），Ｙ（０，１３），Ｙ（１，１２），Ｙ（１，１３））に対して、１つのＣｂデータ（Ｃｂ（０，１２））と、１つのＣｒデータ（Ｃｒ（０，１２））があることになる。
【００７５】
そして、この画像メモリ６に蓄積された１画面分の画像データがメモリコントローラ５によりビデオエンコーダ１１に入力される際のデータ入力状態について図４を参照して説明する。
【００７６】
この図４に示す１画面分の画像データのうち、メモリコントローラ５により画像メモリ６から最初に転送される第１フィールドの画像データは、ｌｉｎｅ０，ｌｉｎｅ２，ｌｉｎｅ４，・・・・，ｌｉｎｅ４７６，ｌｉｎｅ４７８と１ライン置きに転送されるが、この時、図中のｌｉｎｅ０，ｌｉｎｅ４，・・・・，ｌｉｎｅ４７２，ｌｉｎｅ４７６ではＹデータとＣｂデータを入力し、ｌｉｎｅ２，ｌｉｎｅ６，・・・・，ｌｉｎｅ４７４，ｌｉｎｅ４７８ではＹデータとＣｒデータを入力する。
【００７７】
また、図４に示す１画面分の画像データのうち、メモリコントローラ５により画像メモリ６から次に転送される第２フィールドの画像データは、ｌｉｎｅ１，ｌｉｎｅ３，ｌｉｎｅ５，・・・・，ｌｉｎｅ４７７，ｌｉｎｅ４７９と１ライン置きに転送されるが、この時、図中のｌｉｎｅ１，ｌｉｎｅ５，・・・・，ｌｉｎｅ４７３，ｌｉｎｅ４７７ではＹデータとＣｒデータを入力し、ｌｉｎｅ３，ｌｉｎｅ７，・・・・，ｌｉｎｅ４７５，ｌｉｎｅ４７９ではＹデータとＣｂデータを入力する。
【００７８】
以上の各ラインでのデータ転送順序は、Ｙデータ２つに対して、ＣｂデータまたはＣｒデータを転送していけばよく、例えば、ｌｉｎｅ０ではＹ−Ｙ−Ｃｂ−Ｙ−Ｙ−Ｃｂ・・・あるいはＹ−Ｙ−Ｃｒ−Ｙ−Ｙ−Ｃｒ・・・の順に転送していけばよい。
【００７９】
これらのメモリコントローラ５におけるビデオエンコーダ１１に対する１フレームの画像データの転送処理について図５に示すフローチャートに基づいて説明する。
【００８０】
メモリコントローラ５は、内蔵するライン番号レジスタに「０」をセットし（ステップＳ１）、画像メモリ６に蓄積した１フレームの画像データのうち第１フィールドの最初のラインから転送するＣデータ（色データ）をＣｂデータとするために内蔵するカラーフラグを「０」に設定する（ステップＳ２）。次いで、そのライン番号レジスタにセットした「０」に相当するｌｉｎｅ＝０の１ライン分のデータを画像メモリ６から順次読み出してビデオエンコーダ１１に順次転送する（ステップＳ３）。
【００８１】
この１ラインデータの転送処理の詳細について図６に示すフローチャートに基づいて説明する。
【００８２】
まず、画像メモリ６から該当ライン、すなわちｌｉｎｅ＝０の最初のＹデータ（ｄｏｔ＝０）を読み出してビデオエンコーダ１１に転送し（ステップＳ２１）、次いで、当該ラインの２番目のＹデータ（ｄｏｔ＝１）を読み出してビデオエンコーダ１１に転送する（ステップＳ２２）。そして、上記ステップＳ２の処理で設定されたカラーフラグの設定「０」を確認し、そのカラーフラグ「０」に対応するＣｂデータを画像メモリ６から読み出してビデオエンコーダ１１に転送し（ステップＳ２３）、そのｌｉｎｅ＝０の最後のデータまで転送が終了したか否かを確認する（ステップＳ２４）。
【００８３】
そのｌｉｎｅ＝０の最後のデータまで転送が終了していなければ、ステップＳ２１の処理に戻って画像メモリ６から次のＹデータ（ｄｏｔ＝２）を読み出してビデオエンコーダ１１に転送し、次いで、当該ラインの次の４番目のＹデータ（ｄｏｔ＝３）を読み出してビデオエンコーダ１１に転送する（ステップＳ２２）。上記ステップＳ２の処理で設定されたカラーフラグの設定「０」を確認し、そのカラーフラグ「０」に対応するＣｂデータを画像メモリ６から読み出してビデオエンコーダ１１に転送する（ステップＳ２３）。そして、そのｌｉｎｅ＝０の最後のデータまで転送が終了していなければ、再度ステップＳ２１の処理に戻って、上記２つのＹデータ、及び１つのＣｂデータのビデオエンコーダ１１への転送処理を繰返し実行する。また、ｌｉｎｅ＝０の最後のデータまで転送が終了していれば、本１ラインデータの転送処理を終了する。
【００８４】
従って、ここでは、画像メモリ６に蓄積された１フレーム分の画像データのうちｌｉｎｅ＝０の１ライン分（ｌｉｎｅ＝０でｄｏｔ＝０〜６３９）の画像データが読み出されるが、２ドット分のＹデータ（輝度データ）に対して１ドットのＣｂデータの割合で順次転送されることになる。
【００８５】
次いで、インターレース処理のためライン番号を「２」進めて、ライン番号レジスタに「２」をセットし（ステップＳ４）、カラーフラグを反転する。すなわち、第１フィールドの次のライン（ｌｉｎｅ＝２）から転送するＣデータをＣｒデータとするためにカラーフラグの設定を「１」に変更する（ステップＳ５）。そして、第１フィールドの全ラインの画像テータの転送を終了したか否かを確認し（ステップＳ６）、転送が終了していなければ、ステップＳ３の処理に戻って、画像メモリ６に蓄積された１フレーム分の画像データのうちｌｉｎｅ＝２の１ライン分（ｌｉｎｅ＝２でｄｏｔ＝０〜６３９）の画像データを読み出してビデオエンコーダ１１に順次転送する。
【００８６】
そして、また、インターレース処理のためライン番号を「２」進めて、ライン番号レジスタに「４」をセットし（ステップＳ４）、カラーフラグを反転する。すなわち、第１フィールドの次のライン（ｌｉｎｅ＝４）から転送するＣデータをＣｂデータとするためにカラーフラグの設定を「０」に変更する（ステップＳ５）。そして、第１フィールドの全ラインの画像テータの転送を終了したか否かを確認し（ステップＳ６）、転送が終了していなければ、ステップＳ３の処理に戻って、画像メモリ６に蓄積された１フレーム分の画像データのうちｌｉｎｅ＝４の１ライン分（ｌｉｎｅ＝４でｄｏｔ＝０〜６３９）の画像データを読み出してビデオエンコーダ１１に順次転送する。
【００８７】
以上のステップＳ３〜ステップＳ６の処理を繰返し実行することにより、画像メモリ６に蓄積された１フレーム分の画像データの第１フィールドの画像データが水平方向に１ラインずつ、２つのＹデータと１つのＣｂデータあるいはＣｒデータがビデオエンコーダ１１に順次転送されることになる。
【００８８】
そして、第１フィールドの全ラインの水平方向の画像データ転送処理が終了したことを確認すると（ステップＳ６）、ライン番号レジスタに「１」をセットし（ステップＳ７）、画像メモリ６に蓄積した１フレームの画像データのうち第２フィールドの最初のラインから転送するＣデータ（色データ）をＣｒデータとするために内蔵するカラーフラグを「１」に設定する（ステップＳ８）。次いで、そのライン番号レジスタにセットした「１」に相当するｌｉｎｅ＝１の１ライン分のデータを画像メモリ６から順次読み出してビデオエンコーダ１１に順次転送する（ステップＳ９）。
【００８９】
このステップＳ９の処理では、上記図６に示した１ラインデータの転送処理のフローチャートを実行することにより、画像メモリ６に蓄積された１フレーム分の画像データのうちｌｉｎｅ＝１の１ライン分（ｌｉｎｅ＝１でｄｏｔ＝０〜６３９）の画像データが読み出されるが、２ドットのＹデータ（輝度データ）に対して１ドットのＣｒデータの割合で順次転送されることになる。
【００９０】
次いで、インターレース処理のためライン番号を「２」進めて、ライン番号レジスタに「３」をセットし（ステップＳ１０）、カラーフラグを反転する。すなわち、第２フィールドの次のライン（ｌｉｎｅ＝３）から転送するＣデータをＣｂデータとするためにカラーフラグの設定を「０」に変更する（ステップＳ１１）。そして、第２フィールドの全ラインの画像テータの転送を終了したか否かを確認し（ステップＳ１２）、転送が終了していなければ、ステップＳ９の処理に戻って、画像メモリ６に蓄積された１フレーム分の画像データのうちｌｉｎｅ＝３の１ライン分（ｌｉｎｅ＝３でｄｏｔ＝０〜６３９）の画像データを読み出してビデオエンコーダ１１に順次転送する。
【００９１】
そして、また、インターレース処理のためライン番号を「２」進めて、ライン番号レジスタに「５」をセットし（ステップＳ１０）、カラーフラグを反転する。すなわち、第２フィールドの次のライン（ｌｉｎｅ＝５）から転送するＣデータをＣｒデータとするためにカラーフラグの設定を「１」に変更する（ステップＳ１１）。そして、第２フィールドの全ラインの画像テータの転送を終了したか否かを確認し（ステップＳ１２）、転送が終了していなければ、ステップＳ９の処理に戻って、画像メモリ６に蓄積された１フレーム分の画像データのうちｌｉｎｅ＝５の１ライン分（ｌｉｎｅ＝５でｄｏｔ＝０〜６３９）の画像データを読み出してビデオエンコーダ１１に順次転送する。
【００９２】
以上のステップＳ９〜ステップＳ１２の処理を繰返し実行することにより、画像メモリ６に蓄積された１フレーム分の画像データの第２フィールドの画像データが水平方向に１ラインずつ、２つのＹデータと１つのＣｒデータあるいはＣｂデータがビデオエンコーダ１１に順次転送されることになる。
【００９３】
そして、第２フィールドの全ラインの水平方向の画像データ転送処理が終了したことを確認すると（ステップＳ１２）、本１フレームの転送処理を終了する。
【００９４】
以上の１フレームの転送処理によりメモリコントローラ５からビデオエンコーダ１１に対して１フレームの画像データが転送入力されると、ビデオエンコーダ１１における動作について図７に示す各部信号のタイミングチャートを参照して説明する。
【００９５】
この図７において、（ａ）は図２のビデオエンコーダ１１内の各部の動作タイミングを設定する基本クロック信号ｃｌｋを示しており、（ｂ）は図２の入力インターフェース１１１からＹＣ分離器１１２に出力されるＹデータ、ＣｂデータあるいはＣｒデータの３種類のデータから構成された画像データである信号名「ｉｎｐｕｔ」を示しており、（ｃ）はＹＣ分離器１１２により信号名「ｉｎｐｕｔ」の画像データから分離されて図２の現ラインＹ信号処理部１１３に出力されるＹデータである信号名「ｙ  ｉｎ」を示しており、（ｄ）はＹＣ分離器１１２により信号名「ｉｎｐｕｔ」の画像データから分離されて図２の現ラインＣ信号処理部１１４及びＣ信号メモリ１１５に出力される現在のＣデータである信号名「ｃ１  ｉｎ」を示している。
【００９６】
そして図７において、（ｅ）はＹＣ分離器１１２により入力される現在のＣデータである信号名「ｃ１  ｉｎ」、あるいは前ラインのＣデータを図２のＣ信号メモリ１１５に対して、書き込み／読み出す際に指定されるメモリアドレスである信号名「ｍｅｍ  ａｄｒｓ」を示しており、（ｆ）はＹＣ分離器１１２により入力される現在のＣデータである信号名「ｃ１  ｉｎ」をＣ信号メモリ１１５に書き込む際に出力される書き込み信号である信号名「ｍｅｍ  ｗｅ」を示しており、（ｇ）はＣ信号メモリ１１５から読み出されて図２のラッチ回路１１６に出力される前ラインのＣデータである信号名「ｍｅｍ  ｏｕｔ」を示しており、（ｈ）はラッチ回路１１６によりラッチされて図２の前ラインＣ信号処理部１１７に出力される前ラインのＣデータである信号名「ｃ２  ｉｎ」を示している。
【００９７】
さらに図７において、（ｉ）は現ラインＹ信号処理部１１３により処理された後で図２のビデオ信号部作成１１８に出力される現在のＹデータである信号名「ｙ  ｄａｔａ」を示しており、（ｊ）は現ラインＹ信号処理部１１３により処理された後でビデオ信号部作成１１８に出力される現在のＣデータである信号名「ｃ１  ｄａｔａ」を示しており、（ｋ）は前ラインＣ信号処理部１１７により処理された後でビデオ信号部作成１１８に出力される前ラインのＣデータである信号名「ｃ２  ｄａｔａ」を示しており、（ｌ）はビデオ信号作成部１１８により作成されて図２の出力インターフェース１１９に出力されるビデオ信号である信号名「ｏｕｔｐｕｔ」を示している。
【００９８】
図２のビデオエンコーダ１１において、上記メモリコントローラ５により実行された１フレームの転送処理により、画像メモリ６に蓄積された１画面分の画像データが１ライン毎に読み出されて、Ｙ−Ｙ−Ｃｂ−Ｙ−Ｙ−Ｃｂ・・・あるいはＹ−Ｙ−Ｃｒ−Ｙ−Ｙ−Ｃｒ・・・の順に転送入力されると、入力インターフェース１１１では、その各画像データを図７（ａ）のクロック信号ｃｌｋのクロックタイミングに基づいて、同図（ｂ）に示すように信号ｉｎｐｕｔとして、Ｙ０−Ｙ１−Ｃ０−Ｙ２−Ｙ３−Ｃ１・・・の順番でＹＣ分離部１１２に出力される。
【００９９】
ＹＣ分離部１１２では、入力インターフェース１１１からＹ０−Ｙ１−Ｃ０−Ｙ２−Ｙ３−Ｃ１・・・の順番で入力される信号ｉｎｐｕｔが、図７（ａ）のクロック信号ｃｌｋの立下がりに同期してラッチされた後、ＹデータとＣデータに分離され、その信号ｉｎｐｕｔから分離されたＹデータは同図（ｃ）に示すタイミングで信号ｙ  ｉｎとして現ラインＹ信号処理部１１３に出力され、その信号ｉｎｐｕｔから分離されたＣデータは同図（ｄ）に示すタイミングで信号ｃ１  ｉｎとして現ラインＣ信号処理部１１４とＣ信号メモリ１１５に出力される。
【０１００】
Ｃ信号メモリ１１５では、ＹＣ分離部１１２から入力される現ラインのＣデータである信号ｃ１  ｉｎのＣｂデータあるいはＣｒデータが、その信号ｃ１  ｉｎの図７（ｄ）に示す各Ｃデータの転送サイクルと同一のサイクルで、信号ｃ１ｉｎのＣデータの読み出し動作／書き込み動作が行われ、図７（ｅ）のメモリアドレス信号ｍｅｍ  ａｄｒｓにより指定されるＣ信号メモリ１１５内の読み出し／書き込みアドレス（０，１，２，３，４，・・・）と、同図（ｆ）の書き込み信号ｍｅｍ  ｗｅによる書き込みタイミングで現ラインのＣデータである信号ｃ１  ｉｎを１ライン分書き込むタイミングが設定される。
【０１０１】
そして、現ラインの前のラインでＣ信号メモリ１１５に書き込まれた前ラインのＣｂデータあるいはＣｒデータが、同図（ｇ）に示す各Ｃデータの転送サイクルの前半のタイミングで読み出されて、前ラインのＣデータである信号ｍｅｍ  ｏｕｔ（Ｍ０，Ｍ１，Ｍ２，Ｍ３，・・・）としてラッチ回路１１６に出力される。次いで、同図（ｇ）に示す各Ｃデータの転送サイクルの後半のタイミングで、ＹＣ分離部１１２から入力される現ラインのＣデータである信号ｃ１  ｉｎのＣｂデータあるいはＣｒデータが、同図（ｆ）の書き込み信号ｍｅｍ  ｗｅによる書き込みタイミングで、上記書き込みアドレス（０，１，２，３，４，・・・）と同一アドレス順にＣ信号メモリ１１５に書き込まれる。
【０１０２】
ラッチ回路１１６では、Ｃ信号メモリ１１５から入力される前ラインのＣデータである信号ｍｅｍ  ｏｕｔ（Ｍ０，Ｍ１，Ｍ２，Ｍ３，・・・）が、現ラインＹ信号処理部１１３、及び現ラインＣ信号処理部１１４に各信号ｙ  ｉｎ、ｃ１ｉｎが入力されるまでラッチされた後、図７（ｈ）の前ラインのＣデータである信号ｃ２  ｉｎの転送タイミングで前ラインＣ信号処理部１１７に出力される。そして、現ラインＹ信号処理部１１３、及び現ラインＣ信号処理部１１４では、それぞれＹＣ分離部１１２により信号ｉｎｐｕｔから分離されたＹデータ、及びＣデータがそれぞれ処理された後、図７（ｉ）の現ラインのＹデータ（Ｙ０，Ｙ１，Ｙ２，Ｙ３，・・・）である信号ｙ  ｄａｔａ、及び同図（ｊ）の現ラインのＣデータ（Ｃ０，Ｃ１，Ｃ２，Ｃ３，・・・）である信号ｃ１  ｄａｔａとしてビデオ信号作成部１１８に出力される。また、前ラインＣ信号処理部１１７では、現ラインＹ信号処理部１１３、及び現ラインＣ信号処理部１１４における処理タイミングと合わせて、ラッチ回路１１６から入力される前ラインのＣデータである信号ｃ２  ｉｎが処理されて、同図（ｋ）の前ラインのＣデータ（Ｍ０，Ｍ１，Ｍ２，Ｍ３，・・・）である信号ｃ２  ｄａｔａとしてビデオ信号作成部１１８に出力される。
【０１０３】
そして、ビデオ信号作成部１１８では、現ラインＹ信号処理部１１３、現ラインＣ信号処理部１１４、及び前ラインＣ信号処理部１１７から同一タイミングで入力される信号ｙ  ｄａｔａ、信号ｃ１  ｄａｔａ、及び信号ｃ２  ｄａｔａがビデオ信号に変換された後、図７（ｌ）のビデオ信号（Ｄ０，Ｄ１，Ｄ２，Ｄ３・・・）である信号ｏｕｔｐｕｔとして出力インターフェース１１９に出力される。出力インターフェース１１９では、ビデオ信号作成部１１８から入力されるビデオ信号ｏｕｔｐｕｔが図１の液晶モジュール１２に出力されて、画像表示される。
【０１０４】
以上のように、ビデオエンコーダ１１内では、１フレーム分の画像データ（Ｙデータ、Ｃｂデータ、Ｃｒデータ）がライン毎に転送される際には、現ラインの２つのＹデータと、現ラインの１つのＣデータ（ＣｂデータあるいはＣｂデータ）と、Ｃ信号メモリ１１５に格納された前ラインの１つのＣデータ（ＣｂデータあるいはＣｂデータ）と、が当該現ラインのデータ転送タイミングでビデオ信号作成部１１８でビデオ信号に転送される。
【０１０５】
すなわち、図４に示したビデオエンコーダ１１に入力される画像データ構成において、上記データ転送処理が実行されると、各ラインのデータ転送順序は、以下に示すようになる。
【０１０６】
ｌｉｎｅ＝０のデータ転送順序
Ｙ（０，０）−Ｙ（０，１）−Ｃｂ（０，０）−Ｙ（０，２）−Ｙ（０，３）−Ｃｂ（０，２）−・・・・
ｌｉｎｅ＝１のデータ転送順序
Ｙ（１，０）−Ｙ（１，１）−Ｃｒ（０，０）−Ｙ（１，２）−Ｙ（１，３）−Ｃｒ（０，２）−・・・・
ｌｉｎｅ＝２のデータ転送順序
Ｙ（２，０）−Ｙ（２，１）−Ｃｒ（２，０）−Ｙ（２，２）−Ｙ（２，３）−Ｃｒ（２，２）−・・・・
ｌｉｎｅ＝３のデータ転送順序
Ｙ（３，０）−Ｙ（３，１）−Ｃｂ（２，０）−Ｙ（３，２）−Ｙ（３，３）−Ｃｂ（２，２）−・・・・
↓
ｌｉｎｅ＝４７６のデータ転送順序
Ｙ（４７６，０）−Ｙ（４７６，１）−Ｃｂ（４７６，０）−Ｙ（４７６，２）−Ｙ（４７６，３）−Ｃｂ（４７６，２）−・・・・
ｌｉｎｅ＝４７７のデータ転送順序
Ｙ（４７７，０）−Ｙ（４７７，１）−Ｃｒ（４７６，０）−Ｙ（４７７，２）−Ｙ（４７７，３）−Ｃｒ（４７６，２）−・・・・
ｌｉｎｅ＝４７８のデータ転送順序
Ｙ（４７８，０）−Ｙ（４７８，１）−Ｃｒ（４７８，０）−Ｙ（４７８，２）−Ｙ（４７８，３）−Ｃｒ（４７８，２）−・・・・
ｌｉｎｅ＝４７９のデータ転送順序
Ｙ（４７９，０）−Ｙ（４７９，１）−Ｃｂ（４７８，０）−Ｙ（４７９，２）−Ｙ（４７９，３）−Ｃｂ（４７８，２）−・・・・
したがって、ビデオエンコーダ１１内のデータ転送に際して、現ラインでＣデータとしてＣｂデータ（あるいはＣｒデータ）が転送された場合は、前ラインではＣデータとしてＣｒデータ（あるいはＣｂデータ）が転送されるようにして、１ライン分の転送タイミングでＹデータ、Ｃｂデータ、Ｃｒデータの３種類のデータがビデオ信号作成部１１８に転送されて、ビデオ信号が作成されるように構成したため、画像メモリ６内に蓄積された１フレームの画像データ内の同一のＣデータに２回ずつアクセスする必要がなくなり、デジタルカメラ１内のデータ処理速度の高速化と消費電力の低減を図ることができる。
【０１０７】
なお、上記第１の実施の形態のビデオエンコーダ１１では、各ラインの画像データの転送順序をＹ−Ｙ−Ｃ−Ｙ−Ｙ−Ｃ−としたが、Ｙ−Ｃ−Ｙ−Ｙ−Ｃ−Ｙ−、Ｙ−Ｙ−Ｃ−Ｃ−Ｙ−Ｙ−等として、１ライン中のＹデータの個数とＣデータの個数との関係が２：１になっていれば、その転送順序は制限されるものではない。
【０１０８】
また、上記第１の実施の形態のビデオエンコーダ１１では、第１フィールドの最初のライン（ｌｉｎｅ＝０）のＣデータはＣｂ、第２フィールドの最初のライン（ｌｉｎｅ＝０）のＣデータはＣｒとしたが、第１フィールドの最初のラインのＣデータをＣｒ、第２フィールドの最初のラインのＣデータをＣｂと逆に設定してもよいことは勿論である。
【０１０９】
（第２の実施の形態）
上記第１の実施の形態では、１ライン分のＣデータ（色データ）を保存するＣ信号メモリ１１５をビデオエンコーダ１１内に設け、前ラインのＣデータの読み出し動作と現ラインのＣデータの書き込み動作を連続して行っていたが、本第２の実施の形態では、１ライン分のＣデータを保存するＣ信号メモリをビデオエンコーダ１１内に２つ設けて、一方を読み出し専用、もう一方を書き込み専用として利用する場合を説明する。
【０１１０】
図８〜図９は、本発明の画像表示装置及び画像表示方法を適用した第２の実施の形態のデジタルカメラを示す図である。
【０１１１】
まず、構成を説明する。
【０１１２】
図８は、本第２の実施の形態のデジタルカメラ１内のビデオエンコーダ２０の回路構成を示すブロック図であり、上記図２に示したビデオエンコーダ１１内の回路構成と同一部分には同一の符号を付して構成説明を省略する。
【０１１３】
また、本第２の実施の形態のデジタルカメラの全体構成は、上記図１に示したデジタルカメラ１と同一構成であるため、その図示及び構成説明は省略する。
【０１１４】
図８において、ビデオエンコーダ２０は、入力インターフェース１１１、ＹＣ分離部１１２、現ラインＹ信号処理部１１３、現ラインＣ信号処理部１１４、Ｃ信号メモリ２１、２２、セレクタ回路２３、前ラインＣ信号処理部１１７、ビデオ信号作成部１１８、及び出力インターフェース１９により構成されている。
【０１１５】
Ｃ信号メモリ２１、２２は、それぞれＹＣ分離部１１２から「ｃ１  ｉｎ」として転送されるＣｂ、Ｃｒデータを１ライン分記憶するメモリ容量を有する。このＣ信号メモリ２１、２２では、例えば、Ｃ信号メモリ２１にＣデータが書き込まれておらず、Ｃ信号メモリ２２に前ラインのＣデータである信号ｃ１  ｉｎが書き込まれているとすると、Ｃ信号メモリ２１に対してＹＣ分離部１１２から入力されるＣデータが書き込まれるとともに、Ｃ信号メモリ２２から前ラインのＣデータが読み出されてセレクタ２３を介して前ラインＣ信号処理部１１７に出力される。
【０１１６】
すなわち、Ｃ信号メモリ２１とＣ信号メモリ２２では、ビデオエンコーダ２０内の動作状態に応じて、一方がＣデータの書き込み動作専用、もう一方が読み出し動作動作専用として利用されるように構成されている。
【０１１７】
セレクタ２３は、Ｃ信号メモリ２１とＣ信号メモリ２２のうち読み出し動作専用として利用される方を選択し、その選択した読み出し動作専用のＣ信号メモリ２１、２２から読み出されるＣデータ（ＣｂデータあるいはＣｒデータ）を前ラインＣ信号処理部１１７に出力する。
【０１１８】
次に、本第２の実施の形態の動作を説明する。
【０１１９】
上記ビデオエンコーダ２０における動作について図９に示す各部信号のタイミングチャートを参照して説明する。
【０１２０】
この図９において（ａ）〜（ｅ）に示す各信号は、上記図７の（ａ）〜（ｅ）に示した各信号と同一であり、また、図９の（ｊ）〜（ｍ）に示す各信号は、上記図７の（ｉ）〜（ｌ）に示した各信号と同一であるため、これら各信号についての説明は省略する。
【０１２１】
本第２の実施の形態のビデオエンコーダ２０では、Ｃ信号メモリ２１、２２をビデオエンコーダ２０内の動作状態に応じて、一方がＣデータの書き込み動作専用、もう一方が読み出し動作動作専用として利用するため、図９（ｆ）に示す書き込み動作専用信号である信号名「ｍｅｍ１  ｗｅ」と、同図（ｇ）に示す読み出し動作専用信号である信号名「ｍｅｍ２  ｗｅ」と、を設定している。
【０１２２】
図８のビデオエンコーダ２０において、上記メモリコントローラ５により実行された図５に示した１フレームの転送処理により、画像メモリ６に蓄積された１画面分の画像データが１ライン毎に読み出されて、Ｙ−Ｙ−Ｃｂ−Ｙ−Ｙ−Ｃｂ・・・あるいはＹ−Ｙ−Ｃｒ−Ｙ−Ｙ−Ｃｒ・・・の順に転送入力されると、入力インターフェース１１１では、その各画像データを図９（ａ）のクロック信号ｃｌｋのクロックタイミングに基づいて、同図（ｂ）に示すように信号ｉｎｐｕｔとして、Ｙ０−Ｙ１−Ｃ０−Ｙ２−Ｙ３−Ｃ１・・・の順番でＹＣ分離部１１２に出力される。
【０１２３】
ＹＣ分離部１１２では、入力インターフェース１１１からＹ０−Ｙ１−Ｃ０−Ｙ２−Ｙ３−Ｃ１・・・の順番で入力される信号ｉｎｐｕｔが、図９（ａ）のクロック信号ｃｌｋの立下がりに同期してラッチされた後、ＹデータとＣデータに分離され、その信号ｉｎｐｕｔから分離されたＹデータは同図（ｃ）に示すタイミングで信号ｙ  ｉｎとして現ラインＹ信号処理部１１３に出力され、その信号ｉｎｐｕｔから分離されたＣデータは同図（ｄ）に示すタイミングで信号ｃ１  ｉｎとして現ラインＣ信号処理部１１４とＣ信号メモリ１１５に出力される。
【０１２４】
Ｃ信号メモリ２１あるいはＣ信号メモリ２２では、ＹＣ分離部１１２から入力される現ラインのＣデータである信号ｃ１  ｉｎのＣｂデータあるいはＣｒデータが、その信号ｃ１  ｉｎの図９（ｄ）に示す各Ｃデータの転送サイクルと同一のサイクルで、信号ｃ１  ｉｎのＣデータの読み出し専用動作／書き込み専用動作が行われ、図９（ｅ）のメモリアドレス信号ｍｅｍ  ａｄｒｓにより指定されるＣ信号メモリ２１あるいはＣ信号メモリ２２内の読み出しアドレス、及び書き込みアドレス（０，１，２，３，４，・・・）と、同図（ｆ）の書き込み動作専用信号ｍｅｍ１  ｗｅによる書き込みタイミングで現ラインのＣデータである信号ｃ１  ｉｎを１ライン分書き込むタイミングが設定される。
【０１２５】
そして、現ラインの前のラインでＣ信号メモリ２１に前ラインのＣｂデータあるいはＣｒデータが書き込まれていたとすると、同図（ｇ）に示す読み出し動作専用信号ｍｅｍ２  ｗｅによりＣ信号メモリ２１から前ラインのＣｂデータあるいはＣｒデータの読み出されて、セレクタ２３によりＣ信号メモリ２１の出力側が選択されて、前ラインのＣデータである信号ｍｅｍ  ｏｕｔ（Ｍ０，Ｍ１，Ｍ２，Ｍ３，・・・）として前ラインＣ信号処理部１１７に出力される。このＣ信号メモリ２１における読み出し動作と同時に、Ｃ信号メモリ２２では、同図（ｆ）に示す書き込み動作専用信号ｍｅｍ１  ｗｅによる書き込みタイミングで、ＹＣ分離部１１２から入力される現ラインのＣデータである信号ｃ１  ｉｎのＣｂデータあるいはＣｒデータが、上記書き込みアドレス（０，１，２，３，４，・・・）と同一アドレス順に書き込まれる。
【０１２６】
また、現ラインの前のラインでＣ信号メモリ２２に前ラインのＣｂデータあるいはＣｒデータが書き込まれていたとすると、同図（ｇ）に示す読み出し動作専用信号ｍｅｍ２  ｗｅによりＣ信号メモリ２２から前ラインのＣｂデータあるいはＣｒデータの読み出されて、セレクタ２３によりＣ信号メモリ２２の出力側が選択されて、前ラインのＣデータである信号ｍｅｍ  ｏｕｔ（Ｍ０，Ｍ１，Ｍ２，Ｍ３，・・・）として前ラインＣ信号処理部１１７に出力される。このＣ信号メモリ２２における読み出し動作と同時に、Ｃ信号メモリ２１では、同図（ｆ）に示す書き込み動作専用信号ｍｅｍ１  ｗｅによる書き込みタイミングで、ＹＣ分離部１１２から入力される現ラインのＣデータである信号ｃ１  ｉｎのＣｂデータあるいはＣｒデータが、上記書き込みアドレス（０，１，２，３，４，・・・）と同一アドレス順に書き込まれる。
【０１２７】
そして、現ラインＹ信号処理部１１３、及び現ラインＣ信号処理部１１４では、それぞれＹＣ分離部１１２により信号ｉｎｐｕｔから分離されたＹデータ、及びＣデータがそれぞれ処理された後、図９（ｊ）の現ラインのＹデータ（Ｙ０，Ｙ１，Ｙ２，Ｙ３，・・・）である信号ｙ  ｄａｔａ、及び同図（ｋ）の現ラインのＣデータ（Ｃ０，Ｃ１，Ｃ２，Ｃ３，・・・）である信号ｃ１  ｄａｔａとしてビデオ信号作成部１１８に出力される。また、前ラインＣ信号処理部１１７では、現ラインＹ信号処理部１１３、及び現ラインＣ信号処理部１１４における処理タイミングと合わせて、セレクタ回路２３から入力される前ラインのＣデータである信号ｃ２  ｉｎが処理されて、同図（ｌ）の前ラインのＣデータ（Ｍ０，Ｍ１，Ｍ２，Ｍ３，・・・）である信号ｃ２  ｄａｔａとしてビデオ信号作成部１１８に出力される。
【０１２８】
そして、ビデオ信号作成部１１８では、現ラインＹ信号処理部１１３、現ラインＣ信号処理部１１４、及び前ラインＣ信号処理部１１７から同一タイミングで入力される信号ｙ  ｄａｔａ、信号ｃ１  ｄａｔａ、及び信号ｃ２  ｄａｔａがビデオ信号に変換された後、図９（ｍ）のビデオ信号（Ｄ０，Ｄ１，Ｄ２，Ｄ３・・・）である信号ｏｕｔｐｕｔとして出力インターフェース１１９に出力される。出力インターフェース１１９では、ビデオ信号作成部１１８から入力されるビデオ信号ｏｕｔｐｕｔが図１の液晶モジュール１２に出力されて、画像表示される。
【０１２９】
以上のように、ビデオエンコーダ２０内では、１フレーム分の画像データ（Ｙデータ、Ｃｂデータ、Ｃｒデータ）がライン毎に転送される際には、現ラインの２つのＹデータと、現ラインの１つのＣデータ（ＣｂデータあるいはＣｂデータ）と、Ｃ信号メモリ２１あるいはＣ信号メモリ２２を読み出し専用あるいは書き込み専用として利用して処理された前ラインの１つのＣデータ（ＣｂデータあるいはＣｂデータ）と、が当該現ラインのデータ転送タイミングでビデオ信号作成部１１８でビデオ信号に転送される。
【０１３０】
したがって、ビデオエンコーダ２０内のデータ転送に際して、現ラインでＣデータとしてＣｂデータ（あるいはＣｒデータ）が転送された場合は、前ラインではＣデータとしてＣｒデータ（あるいはＣｂデータ）が転送されるようにするとともに、Ｃ信号メモリ２１とＣ信号メモリ２２と２つ設けられて、動作状態に応じて一方が読み出し専用、もう一方が書き込み専用として利用され、１ライン分の転送タイミングでＹデータ、Ｃｂデータ、Ｃｒデータの３種類のデータがビデオ信号作成部１１８に転送されて、ビデオ信号が作成されるように構成したため、画像メモリ６内に蓄積された１フレームの画像データ内の同一のＣデータに２回ずつアクセスする必要がなくなり、Ｃ信号メモリに対するアクセス時間に余裕を持たせることができ、デジタルカメラ１内のデータ処理速度の高速化と消費電力の低減を図ることができる。
【０１３１】
（第３の実施の形態）
上記第１及び第２の各実施の形態では、ＣＣＤ２により撮像される画像データのライン数（４８０本）とビデオエンコーダ１１あるいはビデオエンコーダ２０により処理されるライン数（４８０本）が同じ場合の例を示したが、本第３の実施の形態では、ＣＣＤ２により撮像される画像データのライン数よりもビデオエンコーダ１１で処理されるライン数が多い場合を説明する。
【０１３２】
例えば、ＣＣＤにより撮像された画像データのライン数が４８０本で、この画像データからＮＴＳＣ（有効ライン数４８０本）とＰＡＬ（有効ライン数５７６本）の２種類のビデオ信号を出力するビデオエンコーダである場合、ＮＴＳＣビデオ信号の作成処理が第１及び第２の各実施の形態に示した処理に相当し、ＰＡＬビデオ信号の作成処理が本第３の実施の形態に示す処理に相当する。
【０１３３】
上記第１及び第２の各実施の形態では、ＣＣＤ２で撮像された画像データのライン数とビデオエンコーダ１１、２０で処理する画像データのライン数が同じであったため、メモリコントローラ５ではＣＣＤ２から取り込んだ画像データをライン毎に順番にビデオエンコーダ１１、２０に転送すればよかったが、本第３の実施の形態では、ビデオエンコーダで処理するライン数が５７６本とＣＣＤから取り込んだライン数４８０本よりも多いため、数ライン（５ライン）に１ラインの画像データを２度転送する必要がある。
【０１３４】
本第３の実施の形態では、このメモリコントローラによるビデオエンコーダへの１フレームの画像データ転送処理について説明する。
【０１３５】
図１０〜図１３は、本発明の画像表示装置及び画像表示方法を適用した第３の実施の形態のデジタルカメラにおけるメモリコントローラの動作を説明するための図である。なお、本第３の実施の形態のデジタルカメラ１内の回路構成は、上記第１の実施の形態の図１に示した内の回路構成と同一であるため、その図示及び構成説明は省略し、メモリコントローラ５における動作を説明する。
【０１３６】
図１０は、メモリコントローラ５により画像メモリ６に蓄積された１画面分の画像データがメモリコントローラ５によりビデオエンコーダ１１に入力される際のデータ入力状態を示す図である。
【０１３７】
ビデオエンコーダ１１が必要とする画像データのライン数が、図１０に示す画像データのｌｉｎｅ＝０〜ｌｉｎｅ＝５７５の５７６ラインであるのに対して、ＣＣＤ２からＣＣＤ制御部３及びＹＵＶプロセッサ４を介して取り込んで画像メモリ６に蓄積した１フレームの画像テータは、図３に示したようにｌｉｎｅ＝０〜ｌｉｎｅ＝４７９（Ｙ（０，＊）〜Ｙ（４７９，＊）、但し、＊＝ｄｏｔ０〜ｄｏｔ６３９）の４８０ライン分である。このためメモリコントローラ５では、画像データを構成するＹデータの転送において、Ｙ（０，＊）〜Ｙ（４，＊）の最初の５ラインのデータのうち、Ｙ（０，＊）を２度（第１フィールドと第２フィールド）転送して、画像メモリ６に蓄積された１ライン分のＹデータからｌｉｎｅ＝０，１の２ライン分のＹデータを転送する。同様に、Ｙ（５，＊），Ｙ（１０，＊），・・・・，Ｙ（４７５，＊）をそれぞれ２度ずつ転送する。
【０１３８】
また、Ｃデータの転送においては、各ライン（ｌｉｎｅ＝０〜４７９）のＣデータであるＣｂ（０，＊）〜Ｃｂ（８，＊）と、Ｃｒ（０，＊）〜Ｃｒ（８，＊）の最初の１０ライン分のＣデータのうち、Ｃｂ（２，＊）とＣｒ（４，＊）を２度（第１フィールドと第２フィールド）ずつ転送する。更にこの時、メモリコントローラ５では、同一フィールド内でＣｂデータが蓄積されたラインと、Ｃｒデータが蓄積されたラインが交互に転送するようにする。そして同様に、Ｃｂ（１２，＊），Ｃｒ（１４，＊），・・・・，Ｃｂ（４７２，＊），Ｃｒ（４７４，＊）をそれぞれ２度ずつ転送する。
【０１３９】
以上のメモリコントローラ５による１フレームの画像データ転送処理により、４８０ライン分の画像データから５７６ライン分の画像データを作成してビデオエンコーダ１１に転送することができる。
【０１４０】
このメモリコントローラ５により実行される１フレームの転送処理について図１１に示すフローチャートに基づいて説明する。
【０１４１】
メモリコントローラ５は、まず、内蔵する転送元Ｙライン番号レジスタと転送元Ｃライン番号レジスタを共に「０」にセットする（ステップＳ３１）。この転送元Ｙライン番号レジスタとは、ＣＣＤ２により撮像されて画像メモリ６に蓄積された４８０ライン分の画像データのうち、ビデオエンコーダ１１に転送するＹデータの転送元となるライン番号を示すために設けられたものである。また、転送元Ｃライン番号レジスタは、ＣＣＤ２により撮像されて画像メモリ６に蓄積された４８０ライン分の画像データのうち、ビデオエンコーダ１１に転送するＣｂデータあるいはＣｒデータの転送元となるライン番号を示すために設けられたものである。
【０１４２】
次いで、メモリコントローラ５に内蔵する転送先ラインカウンタを「０」にセットする（ステップＳ３２）。この転送先ラインカウンタは、ビデオエンコーダ１１に１ライン分の画像データを転送する毎に１ずつカウントアップされ、６ライン転送されるとリセットされて０に戻される。
【０１４３】
そして、画像メモリ６に蓄積した１フレームの画像データのうち第１フィールドの最初のライン（ｌｉｎｅ＝０）から転送するＣデータ（色データ）をＣｂデータとするために内蔵するカラーフラグを「０」に設定する（ステップＳ３３）。次いで、そのライン番号レジスタにセットした「０」に相当するｌｉｎｅ＝０の１ライン分のデータを画像メモリ６から順次読み出してビデオエンコーダ１１に順次転送する（ステップＳ３４）。
【０１４４】
この１ラインデータの転送処理の詳細について図１２に示すフローチャートに基づいて説明する。
【０１４５】
まず、画像メモリ６から転送元Ｙライン番号、すなわちｌｉｎｅ＝０の最初のＹデータ（ｄｏｔ＝０）を読み出してビデオエンコーダ１１に転送し（ステップＳ５１）、次いで、当該ラインの２番目のＹデータ（ｄｏｔ＝１）を読み出してビデオエンコーダ１１に転送する（ステップＳ５２）。そして、上記ステップＳ２の処理で設定されたカラーフラグの設定「０」を確認し、そのカラーフラグ「０」に対応するＣｂデータを画像メモリ６から読み出してビデオエンコーダ１１に転送し（ステップＳ５３）、そのｌｉｎｅ＝０の最後のデータまで転送が終了したか否かを確認する（ステップＳ５４）。
【０１４６】
そのｌｉｎｅ＝０の最後のデータまで転送が終了していなければ、ステップＳ５１の処理に戻って画像メモリ６から次の転送元Ｙライン番号、すなわちｌｉｎｅ＝０の次のＹデータ（ｄｏｔ＝２）を読み出してビデオエンコーダ１１に転送し、次いで、当該ラインの次の４番目のＹデータ（ｄｏｔ＝３）を読み出してビデオエンコーダ１１に転送する（ステップＳ５２）。上記ステップＳ５２の処理で設定されたカラーフラグの設定「０」を確認し、そのカラーフラグ「０」に対応するＣｂデータを画像メモリ６から読み出してビデオエンコーダ１１に転送する（ステップＳ５３）。そして、そのｌｉｎｅ＝０の最後のデータまで転送が終了していなければ、再度ステップＳ２１の処理に戻って、上記２つのＹデータ、及び１つのＣｂデータのビデオエンコーダ１１への転送処理を繰返し実行する。また、ｌｉｎｅ＝０の最後のデータまで転送が終了していれば、本１ラインデータの転送処理を終了する。
【０１４７】
従って、ここでは、画像メモリ６に蓄積された１フレーム分の画像データのうちｌｉｎｅ＝０の１ライン分（ｌｉｎｅ＝０でｄｏｔ＝０〜６３９）の画像データが読み出されるが、２ドット分のＹデータ（輝度データ）に対して１ドットのＣｂデータの割合で順次転送されることになる。
【０１４８】
次いで、図１３に示す転送元ライン番号の増加量表に設定された転送先ラインカウンタのカウント値に基づく各フィールドにおける転送元Ｙライン番号増加量あるいは転送元Ｃライン番号増加量に従って、転送元Ｙライン番号と転送元Ｃライン番号を更新する（ステップＳ３５）。すなわち、上記ステップＳ３１の処理で設定された転送元Ｙライン番号と転送元Ｃライン番号は「０」、上記ステップＳ３１の処理で設定された転送先ラインカウント値は「０」、に設定されているため、図１３の転送元ライン番号の増加量表では、転送先ラインカウント値が「０」の時は、第１フィールドの転送元Ｙライン番号増加量は「１」、転送元Ｃライン番号増加量は「２」であり、Ｙデータの転送元ライン番号はｌｉｎｅ＝１とし、Ｃデータの転送元ライン番号はｌｉｎｅ＝２とする。
【０１４９】
次いで、転送先ラインカウンタのカウント値をインクリメントして「０」から「１」にし（ステップＳ３６）、カラーフラグを反転する（ステップＳ３７）。すなわち、第１フィールドの次のライン（ｌｉｎｅ＝２）から転送するＣデータをＣｒデータとするためにカラーフラグの設定を「１」に変更する。そして、第１フィールドの全ラインの画像テータの転送を終了したか否かを確認し（ステップＳ３８）、転送が終了していなければ、ステップＳ３４の処理に戻って、図１２の１ラインデータの転送処理を実行して、画像メモリ６に蓄積された１フレーム分の画像データのうちｌｉｎｅ＝１の１ライン分（ｌｉｎｅ＝１でｄｏｔ＝０〜６３９）のＹデータを読み出してビデオエンコーダ１１に順次転送する。
【０１５０】
次いで、図１３の転送元ライン番号の増加量表に従って、転送元Ｙライン番号と転送元Ｃライン番号を更新する（ステップＳ３５）。すなわち、前回のステップＳ３５の処理で更新された転送元Ｙライン番号「１」と転送元Ｃライン番号「２」、前回のステップＳ３６の処理で増加された転送先ラインカウント値は「１」、に設定されているため、図１３の転送元ライン番号の増加量表では、転送先ラインカウント値が「１」の時は、第１フィールドの転送元Ｙライン番号増加量は「２」、転送元Ｃライン番号増加量は「０」であり、Ｙデータの転送元ライン番号はｌｉｎｅ＝３とし、Ｃデータの転送元ライン番号はｌｉｎｅ＝２のままとする。
【０１５１】
次いで、転送先ラインカウンタのカウント値をインクリメントして「１」から「２」にし（ステップＳ３６）、カラーフラグを反転する（ステップＳ３７）。すなわち、第１フィールドの同一ライン（ｌｉｎｅ＝２）から転送するＣデータをＣｂデータとするためにカラーフラグの設定を「０」に変更する。そして、第１フィールドの全ラインの画像テータの転送を終了したか否かを確認し（ステップＳ３８）、転送が終了していなければ、ステップＳ３４の処理に戻って、図１２の１ラインデータの転送処理を実行して、画像メモリ６に蓄積された１フレーム分の画像データのうちｌｉｎｅ＝３の１ライン分（ｌｉｎｅ＝３でｄｏｔ＝０〜６３９）のＹデータを読み出してビデオエンコーダ１１に順次転送する。
【０１５２】
以上のステップＳ３４〜ステップＳ３８の処理のうち、ステップＳ３５とステップＳ３６の各処理を繰返し実行すると、転送先ラインカウンタが０，１，２，３，４，５と増加した時、第１フィールドの転送元Ｙライン番号は、０，１，３，５，６，８，１０，・・・，４７８と変化する。
【０１５３】
また、上記ステップＳ３５〜ステップＳ３７の各処理を繰返し実行すると、転送先ラインカウンタが０，１，２，３，４，５と増加した時、第１フィールドの転送元Ｃライン番号は、０，２，２，４，６，８，１０，・・・，４７８と変化するとともに、カラーフラグも変化するため、ビデオエンコーダ１１に転送されるＣデータは、Ｃｂ０，Ｃｒ２，Ｃｂ２，Ｃｒ４，Ｃｂ６，Ｃｒ８，Ｃｂ１０，・・・，Ｃｒ４７８と変化する。
【０１５４】
そして、第１フィールドの全ラインの水平方向の画像データ転送処理が終了したことを確認すると（ステップＳ３８）、内蔵する転送元Ｙライン番号レジスタと転送元Ｃライン番号レジスタを共に「０」にセットし（ステップＳ３９）、内蔵する転送先ラインカウンタを「０」にセットする（ステップＳ４０）。画像メモリ６に蓄積した１フレームの画像データのうち第１フィールドの最初のライン（ｌｉｎｅ＝０）から転送するＣデータ（色データ）をＣｒデータとするために内蔵するカラーフラグを「１」に設定する（ステップＳ４１）。次いで、そのライン番号レジスタにセットした「０」に相当するｌｉｎｅ＝０の１ライン分のデータを画像メモリ６から順次読み出してビデオエンコーダ１１に順次転送する（ステップＳ４２）。
【０１５５】
この１ラインデータの転送処理の詳細について図１２に示すフローチャートに基づいて説明する。
【０１５６】
まず、画像メモリ６から転送元Ｙライン番号、すなわちｌｉｎｅ＝０の最初のＹデータ（ｄｏｔ＝０）を読み出してビデオエンコーダ１１に転送し（ステップＳ５１）、次いで、当該ラインの２番目のＹデータ（ｄｏｔ＝１）を読み出してビデオエンコーダ１１に転送する（ステップＳ５２）。そして、上記ステップＳ２の処理で設定されたカラーフラグの設定「０」を確認し、そのカラーフラグ「０」に対応するＣｒデータを画像メモリ６から読み出してビデオエンコーダ１１に転送し（ステップＳ５３）、そのｌｉｎｅ＝０の最後のデータまで転送が終了したか否かを確認する（ステップＳ５４）。
【０１５７】
そのｌｉｎｅ＝０の最後のデータまで転送が終了していなければ、ステップＳ５１の処理に戻って画像メモリ６から次の転送元Ｙライン番号、すなわちｌｉｎｅ＝０の次のＹデータ（ｄｏｔ＝２）を読み出してビデオエンコーダ１１に転送し、次いで、当該ラインの次の４番目のＹデータ（ｄｏｔ＝３）を読み出してビデオエンコーダ１１に転送する（ステップＳ５２）。上記ステップＳ５２の処理で設定されたカラーフラグの設定「０」を確認し、そのカラーフラグ「０」に対応するＣｒデータを画像メモリ６から読み出してビデオエンコーダ１１に転送する（ステップＳ５３）。そして、そのｌｉｎｅ＝０の最後のデータまで転送が終了していなければ、再度ステップＳ２１の処理に戻って、上記２つのＹデータ、及び１つのＣｒデータのビデオエンコーダ１１への転送処理を繰返し実行する。また、ｌｉｎｅ＝０の最後のデータまで転送が終了していれば、本１ラインデータの転送処理を終了する。
【０１５８】
従って、ここでは、画像メモリ６に蓄積された１フレーム分の画像データのうちｌｉｎｅ＝０の１ライン分（ｌｉｎｅ＝０でｄｏｔ＝０〜６３９）の画像データが読み出されるが、２ドット分のＹデータ（輝度データ）に対して１ドットのＣｒデータの割合で順次転送されることになる。
【０１５９】
次いで、図１３の転送元ライン番号の増加量表に従って、転送元Ｙライン番号と転送元Ｃライン番号を更新する（ステップＳ４３）。すなわち、上記ステップＳ３９の処理で設定された転送元Ｙライン番号と転送元Ｃライン番号は「０」、上記ステップＳ３９の処理で設定された転送先ラインカウント値は「０」、に設定されているため、図１３の転送元ライン番号の増加量表では、転送先ラインカウント値が「０」の時は、第２フィールドの転送元Ｙライン番号増加量は「２」、転送元Ｃライン番号増加量は「２」であり、Ｙデータの転送元ライン番号はｌｉｎｅ＝２とし、Ｃデータの転送元ライン番号はｌｉｎｅ＝２とする。
【０１６０】
次いで、転送先ラインカウンタのカウント値をインクリメントして「０」から「１」にし（ステップＳ４４）、カラーフラグを反転する（ステップＳ４５）。すなわち、第１フィールドの次のライン（ｌｉｎｅ＝２）から転送するＣデータをＣｂデータとするためにカラーフラグの設定を「０」に変更する。そして、第２フィールドの全ラインの画像テータの転送を終了したか否かを確認し（ステップＳ４６）、転送が終了していなければ、ステップＳ４２の処理に戻って、図１２の１ラインデータの転送処理を実行して、画像メモリ６に蓄積された１フレーム分の画像データのうちｌｉｎｅ＝１の１ライン分（ｌｉｎｅ＝１でｄｏｔ＝０〜６３９）のＹデータを読み出してビデオエンコーダ１１に順次転送する。
【０１６１】
次いで、図１３の転送元ライン番号の増加量表に従って、転送元Ｙライン番号と転送元Ｃライン番号を更新する（ステップＳ４３）。すなわち、前回のステップＳ４３の処理で更新された転送元Ｙライン番号「２」と転送元Ｃライン番号「２」、前回のステップＳ４４の処理で増加された転送先ラインカウント値は「１」、に設定されているため、図１３の転送元ライン番号の増加量表では、転送先ラインカウント値が「１」の時は、第２フィールドの転送元Ｙライン番号増加量は「２」、転送元Ｃライン番号増加量は「２」であり、Ｙデータの転送元ライン番号はｌｉｎｅ＝４とし、Ｃデータの転送元ライン番号はｌｉｎｅ＝４とする。
【０１６２】
次いで、転送先ラインカウンタのカウント値をインクリメントして「１」から「２」にし（ステップＳ４４）、カラーフラグを反転する（ステップＳ４５）。すなわち、第２フィールドの次のライン（ｌｉｎｅ＝４）から転送するＣデータをＣｒデータとするためにカラーフラグの設定を「１」に変更する。そして、第２フィールドの全ラインの画像テータの転送を終了したか否かを確認し（ステップＳ４６）、転送が終了していなければ、ステップＳ４２の処理に戻って、図１２の１ラインデータの転送処理を実行して、画像メモリ６に蓄積された１フレーム分の画像データのうちｌｉｎｅ＝４の１ライン分（ｌｉｎｅ＝４でｄｏｔ＝０〜６３９）のＹデータを読み出してビデオエンコーダ１１に順次転送する。
【０１６３】
以上のステップＳ４２〜ステップＳ４６の処理のうち、ステップＳ４３とステップＳ４４の各処理を繰返し実行すると、転送先ラインカウンタが０，１，２，３，４，５と増加した時、第２フィールドの転送元Ｙライン番号は、０，２，４，５，７，９，１０，・・・，４７８と変化する。すなわち、転送元Ｙライン番号０，５，１０，・・・，４５７のＹデータを第１フィールドと第２フィールドの両方で使用してＹデータを当該各ラインで２度ずつ転送することにより、４８０ラインの元Ｙデータから５７６ライン分のＹデータを作成することになる。
【０１６４】
同様に転送先ラインカウンタが０，１，２，３，４，５と増加した時、第２フィールドの転送元Ｃライン番号は、０，２，４，４，６，８，１０，・・・，４７８と変化するとともに、カラーフラグも変化するため、ビデオエンコーダ１１に転送されるＣデータは、Ｃｒ０，Ｃｂ２，Ｃｒ４，Ｃｂ４，Ｃｒ６，Ｃｂ８，Ｃｒ１０，・・・，Ｃｂ４７８と変化する。すなわち、転送元Ｃライン番号のＣデータは、Ｃｂ２，Ｃｒ４，・・・，Ｃｒ４７４を第１フィールドと第２フィールドの両方で使用してＣデータを当該各ラインで２度ずつ転送することにより、４８０ラインの元Ｃデータから５７６ライン分のＣデータ（Ｃｂデータ、Ｃｒデータ）を作成することになる。
【０１６５】
すなわち、図１０に示したビデオエンコーダ１１に入力される画像データ構成において、上記データ転送処理が実行されると、各ラインのデータ転送順序は、以下に示すようになる。
【０１６６】
ｌｉｎｅ＝０のデータ転送順序
Ｙ（０，０）−Ｙ（０，１）−Ｃｂ（０，０）−Ｙ（０，２）−Ｙ（０，３）−Ｃｂ（０，２）−・・・・
Ｙ（０，０）−Ｙ（０，１）−Ｃｒ（０，０）−Ｙ（０，２）−Ｙ（０，３）−Ｃｒ（０，２）−・・・・
ｌｉｎｅ＝１のデータ転送順序
Ｙ（１，０）−Ｙ（１，１）−Ｃｒ（２，０）−Ｙ（１，２）−Ｙ（１，３）−Ｃｒ（２，２）−・・・・
ｌｉｎｅ＝２のデータ転送順序
Ｙ（２，０）−Ｙ（２，１）−Ｃｂ（２，０）−Ｙ（２，２）−Ｙ（２，３）−Ｃｂ（２，２）−・・・・
ｌｉｎｅ＝３のデータ転送順序
Ｙ（３，０）−Ｙ（３，１）−Ｃｂ（２，０）−Ｙ（３，２）−Ｙ（３，３）−Ｃｂ（２，２）−・・・・
ｌｉｎｅ＝４のデータ転送順序
Ｙ（４，０）−Ｙ（４，１）−Ｃｒ（４，０）−Ｙ（４，２）−Ｙ（４，３）−Ｃｒ（４，２）−・・・・
ｌｉｎｅ＝５のデータ転送順序
Ｙ（５，０）−Ｙ（５，１）−Ｃｒ（４，０）−Ｙ（５，２）−Ｙ（５，３）−Ｃｒ（４，２）−・・・・
Ｙ（５，０）−Ｙ（５，１）−Ｃｂ（４，０）−Ｙ（５，２）−Ｙ（５，３）−Ｃｂ（４，２）−・・・・
ｌｉｎｅ＝６のデータ転送順序
Ｙ（６，０）−Ｙ（６，１）−Ｃｂ（６，０）−Ｙ（６，２）−Ｙ（６，３）−Ｃｂ（６，２）−・・・・
ｌｉｎｅ＝７のデータ転送順序
Ｙ（７，０）−Ｙ（７，１）−Ｃｒ（６，０）−Ｙ（７，２）−Ｙ（７，３）−Ｃｒ（６，２）−・・・・
ｌｉｎｅ＝８のデータ転送順序
Ｙ（８，０）−Ｙ（８，１）−Ｃｒ（８，０）−Ｙ（８，２）−Ｙ（８，３）−Ｃｒ（８，２）−・・・・
ｌｉｎｅ＝９のデータ転送順序
Ｙ（９，０）−Ｙ（９，１）−Ｃｂ（８，０）−Ｙ（９，２）−Ｙ（９，３）−Ｃｂ（８，２）−・・・・
↓
ｌｉｎｅ＝４７５のデータ転送順序
Ｙ（４７５，０）−Ｙ（４７５，１）−Ｃｒ（４７４，０）−Ｙ（４７５，２）−Ｙ（４７５，３）−Ｃｒ（４７４，２）−・・・・
Ｙ（４７５，０）−Ｙ（４７５，１）−Ｃｂ（４７４，０）−Ｙ（４７５，２）−Ｙ（４７５，３）−Ｃｂ（４７４，２）−・・・・
ｌｉｎｅ＝４７６のデータ転送順序
Ｙ（４７６，０）−Ｙ（４７６，１）−Ｃｂ（４７６，０）−Ｙ（４７６，２）−Ｙ（４７６，３）−Ｃｂ（４７６，２）−・・・・
ｌｉｎｅ＝４７７のデータ転送順序
Ｙ（４７７，０）−Ｙ（４７７，１）−Ｃｒ（４７６，０）−Ｙ（４７７，２）−Ｙ（４７７，３）−Ｃｒ（４７６，２）−・・・・
ｌｉｎｅ＝４７８のデータ転送順序
Ｙ（４７８，０）−Ｙ（４７８，１）−Ｃｒ（４７８，０）−Ｙ（４７８，２）−Ｙ（４７８，３）−Ｃｒ（４７８，２）−・・・・
ｌｉｎｅ＝４７９のデータ転送順序
Ｙ（４７９，０）−Ｙ（４７９，１）−Ｃｂ（４７８，０）−Ｙ（４７９，２）−Ｙ（４７９，３）−Ｃｂ（４７８，２）−・・・・
以上のメモリコントローラ５による１フレームの画像データ転送処理により、４８０ライン分の画像データから５７６ライン分の画像データを作成してビデオエンコーダ１１に転送することができる。１つのＣＣＤ２のチップセットからビデオエンコーダ１１においてライン数の異なるＮＴＳＣとＰＡＬの２種類のビデオ信号を作成することができ、ビデオカメラ内の部品点数を削減することができる。
【０１６７】
なお、上記第３の実施の形態では、ＣＣＤ２により撮像される画像データのライン数よりもビデオエンコーダ１１で処理されるライン数が多い場合を説明したが、逆にＣＣＤ２により撮像される画像データのライン数の方がビデオエンコーダ１１で処理されるライン数よりも多い場合は、同じ回路構成で転送元ライン番号の増加量を変更することにより、メモリコントローラ５によるビデオエンコーダ１１への画像データの転送処理を実現することができる。
【０１６８】
また、上記第３の実施の形態では、転送元ライン番号の増加量表におけるライン番号の増加量は一定ではないが、イランデータの補完処理を実行してライン番号の増加量が一定になるようにすることができ、この処理により垂直方向の画像の変化を滑らかにすることができる。
【０１６９】
また、上記各実施の形態では、デジタルカメラ１において撮像手段をＣＣＤとしたが、撮像管やＣＭＯＳ撮像素子としてもよい。
【０１７０】
また、本発明は、例えば、ＣＣＤカメラを備えたＰＣＭＣＩＡ（Personal Co-mputer Memory Card International Association）規格のＰＣカメラカードなどを装着することにより撮像機能（画像入力機能）を有することとなるパーソナルコンピュータなどの電子機器に対しても適用可能である。
【０１７１】
また、上記各実施の形態におけるデジタルカメラ１では、各種制御プログラムを記憶媒体であるＲＯＭに格納する構成としたが、記憶媒体はＲＯＭに代表される半導体メモリに限定されるものではなく、磁気的、光学的記録媒体などであってもよい。また、この記憶媒体は、デジタルカメラに対して着脱自在に装着可能なものであってもよい。
【０１７２】
【発明の効果】
請求項１記載の発明の画像表示装置によれば、画像記憶手段に蓄積された１フレームの画像データ内の同一の色成分データに２回ずつアクセスする必要がなくなり、画像表示装置内のデータ処理速度の高速化と消費電力の低減を図ることができる。
【０１７３】
請求項２記載の発明の画像表示装置によれば、１フレームの画像データ転送処理により、例えば、４８０ライン分の入力カラー画像データから５７６ライン分の画像データを作成してカラー表示信号を作成ことができる。このため、例えば、１種類の入力カラー画像データからビデオエンコーダにおいてライン数の異なるＮＴＳＣとＰＡＬの２種類のビデオ信号を作成することができ、画像表示装置内の部品点数を削減することができる。
【０１７４】
請求項３記載の発明の画像表示装置によれば、画像記憶手段に蓄積された１フレームの画像データ内の同一の色成分データに２回ずつアクセスする必要がなくなり、色成分記憶手段に対するアクセス時間に余裕を持たせることができ、画像表示装置のデータ処理速度の高速化と消費電力の低減を図ることができる。
【０１７５】
請求項４記載の発明の画像表示装置によれば、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置のデータ処理速度の高速化と消費電力の低減を図ることができる。
【０１７６】
請求項５記載の発明の画像表示装置によれば、フィールド毎にインターレース動作で画像記憶手段に蓄積された１フレームの画像データ内の２種類の色成分データの読み出し場所が変更されるため、その２種類の色成分データの夫々に２回ずつアクセスする必要がなくなり、画像記憶手段と色成分記憶手段に対するアクセス時間に余裕を持たせることができ、画像表示装置のデータ処理速度の高速化と消費電力の低減を図ることができる。
【０１７７】
請求項６記載の発明の画像表示装置によれば、１フレームの画像データ転送処理により、水平ライン毎に２種類の色成分データの読み出し場所として、画像記憶手段と色成分記憶手段とが画像データの転送状態に応じて選択されるため、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置のデータ処理速度の高速化と消費電力の低減を図ることができる。
【０１７８】
請求項７記載の発明の画像表示装置によれば、１フレームの画像データ転送処理により、所定数の水平ライン置きに輝度成分データと色成分データを複数回読み出して、同一ラインで複数のカラー表示信号を生成することにより、例えば、４８０ライン分の入力カラー画像データから５７６ライン分のカラー表示信号を作成ことができる。このため、例えば、１種類の入力カラー画像データからビデオエンコーダにおいてライン数の異なるＮＴＳＣとＰＡＬの２種類のビデオ信号を作成することができ、画像表示装置内の部品点数を削減することができる。
【０１７９】
請求項８記載の発明の画像表示方法によれば、画像記憶手段に蓄積された１フレームの画像データ内の同一の色成分データに２回ずつアクセスする必要がなくなり、画像表示装置におけるデータ処理速度の高速化と消費電力の低減を図ることができる画像表示方法を提供することができる。
【０１８０】
請求項９記載の発明の画像表示方法によれば、１フレームの画像データ転送処理により、水平ライン毎に２種類の色成分データの読み出し場所として、画像記憶手段と色成分記憶手段とが画像データの転送状態に応じて選択されるため、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置におけるデータ処理速度の高速化と消費電力の低減を図ることができる画像表示方法を提供することができる。
【０１８１】
請求項１０記載の発明の画像表示方法によれば、１フレームの画像データ転送処理により、所定数の水平ライン置きに輝度成分データと色成分データを複数回読み出して、同一ラインで複数のカラー表示信号を生成することにより、例えば、４８０ライン分の入力カラー画像データから５７６ライン分のカラー表示信号を作成ことができる画像表示方法を提供することができる。
【０１８２】
請求項１１記載の発明の記憶媒体によれば、コンピュータによって記憶媒体に格納されているプログラムを読み出して実行することで、画像記憶手段に蓄積された１フレームの画像データ内の同一の色成分データに２回ずつアクセスする必要がなくなり、画像表示装置におけるデータ処理速度の高速化と消費電力の低減を図ることができる。
【０１８３】
請求項１２記載の発明の記憶媒体によれば、コンピュータによって記憶媒体に格納されているプログラムを読み出して実行することで、１フレームの画像データ転送処理により、水平ライン毎に２種類の色成分データの読み出し場所として、画像記憶手段と色成分記憶手段とが画像データの転送状態に応じて選択されるため、画像記憶手段に蓄積された１フレームの画像データ内の２種類の色成分データに２回ずつアクセスする必要がなくなり、画像記憶手段と色成分記憶手段に対するアクセス時間に余裕を持たせることができ、画像表示装置におけるデータ処理速度の高速化と消費電力の低減を図ることができる。
【０１８４】
請求項１３記載の発明の記憶媒体によれば、コンピュータによって記憶媒体に格納されているプログラムを読み出して実行することで、１フレームの画像データ転送処理により、所定数の水平ライン置きに輝度成分データと色成分データを複数回読み出して、同一ラインで複数のカラー表示信号を生成することにより、例えば、４８０ライン分の入力カラー画像データから５７６ライン分のカラー表示信号を作成ことができる。
【図面の簡単な説明】
【図１】本発明の画像表示装置及び画像表示方法を適用した第１の実施の形態のデジタルカメラ１の要部構成を示すブロック図である。
【図２】図１のビデオエンコーダ１１内部の回路構成を示すブロック図である。
【図３】図１のＣＣＤ２及びＣＣＤ制御部３により取り込まれる画像データのデータ構成の一例を示す図である。
【図４】図３の画像データが図１のビデオエンコーダ１１に入力される際の画像データの入力状態を示す図である。
【図５】図１のメモリコントローラ５により実行される１フレームの転送処理を示すフローチャートである。
【図６】図１のメモリコントローラ５により実行される１ラインデータの転送処理を示すフローチャートである。
【図７】図２のビデオエンコーダ１１内の各部における信号のタイミングチャートを示す図である。
【図８】本発明の画像表示装置及び画像表示方法を適用した第２の実施の形態のデジタルカメラに搭載されたビデオエンコーダ１１内部の回路構成を示すブロック図である。
【図９】図８のビデオエンコーダ１１内の各部における信号のタイミングチャートを示す図である。
【図１０】本発明の画像表示装置及び画像表示方法を適用した第３の実施の形態のデジタルカメラ１内のビデオエンコーダ１１に入力される際の画像データの入力状態を示す図である。
【図１１】第３の実施の形態のデジタルカメラ１内のメモリコントローラ５により実行される１フレームの転送処理を示すフローチャートである。
【図１２】第３の実施の形態のデジタルカメラ１内のメモリコントローラ５により実行される１ラインデータの転送処理を示すフローチャートである。
【図１３】図１１のメモリコントローラ５により実行される１フレームの転送処理に際して参照される転送元ライン番号の増加量表の一例を示す図である。
【符号の説明】
１    ビデオカメラ
２    ＣＣＤ
３    ＣＣＤ制御部
４    ＹＵＶプロセッサ
５    メモリコントローラ
６    画像メモリ
７    キー処理部
８    ＣＰＵ
９    ＲＯＭ
１０    記憶媒体
１１    ビデオエンコーダ
１２    液晶モジュール
１１１  入力インターフェース
１１２  ＹＣ分離部
１１３  現ラインＹ信号処理部
１１４  現ラインＣ信号処理部
１１５  Ｃ信号メモリ
１１６  ラッチ回路
１１７  前ラインＣ信号処理部
１１８  ビデオ信号作成部
１１９  出力インターフェース
【図１】
0003764963.tif 000002
【図２】
0003764963.tif 000003
【図３】
0003764963.tif 000004
【図４】
0003764963.tif 000005
【図５】
0003764963.tif 000006
【図６】
0003764963.tif 000007
【図７】
0003764963.tif 000008
【図８】
0003764963.tif 000009
【図９】
0003764963.tif 000010
【図１０】
0003764963.tif 000011
【図１１】
0003764963.tif 000012
【図１２】
0003764963.tif 000013
【図１３】
0003764963.tif 000014